(57)【特許請求の範囲】
【請求項１】
無線通信システムにおいて端末（ＵＥ）でＤ２Ｄ（Ｄｅｖｉｃｅ−ｔｏ−Ｄｅｖｉｃｅ）信号を送信する方法であって、前記方法は、
第１端末（ＵＥ）内のプロセッサにより、Ｄ２Ｄ同期信号内のプライマリ及びセカンダリＤ２Ｄ同期信号を生成することと、
前記第１ＵＥにより、前記プライマリ及びセカンダリＤ２Ｄ同期信号を含むサブフレームを第２ＵＥに送信することと
を含み、
前記プライマリ及びセカンダリＤ２Ｄ同期信号は、Ｄ２Ｄ同期ＩＤを示し、
前記プライマリＤ２Ｄ同期信号のみが、前記第１ＵＥがカバレッジ内のＵＥ又はカバレッジ外のＵＥであることを示し、
利用可能なＤ２Ｄ同期ＩＤが、前記カバレッジ内のＵＥに対する第１セット及び前記カバレッジ外のＵＥに対する第２セットに分けられており、
前記Ｄ２Ｄ同期ＩＤは、前記第１セット及び前記第２セットのうちの１つから選択される、方法。
【請求項２】
前記サブフレーム内の前記プライマリＤ２Ｄ同期信号及び前記セカンダリＤ２Ｄ同期信号のうちの少なくとも１つが、前記サブフレームで別個の時間に送信される２つ以上のシーケンスを含む場合に、前記２つ以上のシーケンスは、互いに異なるシーケンスである、請求項１に記載の方法。
【請求項３】
前記異なるシーケンスは、異なるルートインデックスを有するシーケンス又は異なる循環移動を有するザドフチューシーケンスである、請求項２に記載の方法。
【請求項４】
前記プライマリＤ２Ｄ同期信号を構成するシーケンスは、ザドフチューシーケンスであり、前記セカンダリＤ２Ｄ同期信号を構成するシーケンスは、Ｍシーケンスである、請求項３に記載の方法。
【請求項５】
前記第１ＵＥが同期レファレンスノードである場合に前記Ｄ２Ｄ同期信号を生成するためのルートシーケンスは、前記第１ＵＥが同期信号をリレーするノードである場合に前記Ｄ２Ｄ同期信号を生成するためのルートシーケンスと異なる、請求項２に記載の方法。
【請求項６】
前記Ｄ２Ｄ同期信号が送信される前記サブフレームは、前記第１ＵＥが同期レファレンスノードであるか又は同期信号をリレーするノードであるかを示す、請求項２に記載の方法。
【請求項７】
前記第１ＵＥは、前記Ｄ２Ｄ同期信号が送信される前記サブフレーム内の前記Ｄ２Ｄ同期信号を生成するためのルートシーケンスを介して、前記第１ＵＥがカバレッジ内のＵＥであるか又はカバレッジ外のＵＥであるかを示す、請求項２に記載の方法。
【請求項８】
前記第１ＵＥがＤ２Ｄ同期レファレンスノードである場合に、前記Ｄ２Ｄ同期信号を生成するために用いられるＩＤは、前記第１ＵＥが前記Ｄ２Ｄ同期レファレンスノードになる前に以前の同期レファレンスノードによって使用されたＩＤを継承する、請求項７に記載の方法。
【請求項９】
前記サブフレームは、前記第１ＵＥが前記Ｄ２Ｄ同期信号を送信する時間に関する情報を含む、請求項１に記載の方法。
【請求項１０】
前記同期信号が送信される前記サブフレームに含まれた参照信号は、ＵＥ  ＩＤ、セルＩＤ又は前記プライマリＤ２Ｄ同期信号に基づいて生成されたシーケンスである、請求項１に記載の方法。
【請求項１１】
前記参照信号を生成するために用いられる前記ＩＤは、前記第１ＵＥがカバレッジ内のＵＥであるか又はカバレッジ外のＵＥであるかを示す、請求項１０に記載の方法。
【請求項１２】
無線通信システムにおいてＤ２Ｄ（Ｄｅｖｉｃｅ−ｔｏ−Ｄｅｖｉｃｅ）同期信号を受信する方法であって、前記方法は、
第２端末（ＵＥ）により、前記Ｄ２Ｄ同期信号内のプライマリ及びセカンダリＤ２Ｄ同期信号を含むサブフレームを第１ＵＥから受信することと、
前記第２ＵＥにより、前記プライマリ及びセカンダリＤ２Ｄ同期信号を用いることによって前記第１ＵＥのＤ２Ｄ同期ＩＤを決定することと、
前記第２ＵＥにより、前記プライマリＤ２Ｄ同期信号のみを用いることによって、前記第１ＵＥがカバレッジ内のＵＥであるか又はカバレッジ外のＵＥであるかを決定することと
を含み、
利用可能なＤ２Ｄ同期ＩＤが、前記カバレッジ内のＵＥに対する第１セット及び前記カバレッジ外のＵＥに対する第２セットに分けられており、
前記Ｄ２Ｄ同期ＩＤは、前記第１セット及び前記第２セットのうちの１つから選択される、方法。
【発明の詳細な説明】
【技術分野】
【０００１】
以下の説明は、無線通信システムに関し、特に、装置対装置通信においてＤ２Ｄ同期信号を送受信する方法及び装置に関する。
【背景技術】
【０００２】
無線通信システムが音声やデータなどのような様々な通信サービスを提供するために広範囲に展開されている。一般に、無線通信システムは、可用のシステムリソース（帯域幅、送信電力など）を共有して複数ユーザとの通信を支援できる多元接続（ｍｕｌｔｉｐｌｅ  ａｃｃｅｓｓ）システムである。多元接続システムの例には、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システム、ＭＣ−ＦＤＭＡ（ｍｕｌｔｉ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。
【０００３】
装置対装置（Ｄｅｖｉｃｅ−ｔｏ−Ｄｅｖｉｃｅ；Ｄ２Ｄ）通信とは、端末（Ｕｓｅｒ  Ｅｑｕｉｐｍｅｎｔ；ＵＥ）間に直接的なリンクを設定し、基地局（ｅｖｏｌｖｅｄ  ＮｏｄｅＢ；ｅＮＢ）の介入無しで端末間に音声、データなどを直接やり取りする通信方式のことをいう。Ｄ２Ｄ通信は、端末−対−端末（ＵＥ−ｔｏ−ＵＥ）通信、ピア−対−ピア（Ｐｅｅｒ−ｔｏ−Ｐｅｅｒ）通信などの方式を含むことができる。また、Ｄ２Ｄ通信方式は、Ｍ２Ｍ（Ｍａｃｈｉｎｅ−ｔｏ−Ｍａｃｈｉｎｅ）通信、ＭＴＣ（Ｍａｃｈｉｎｅ  Ｔｙｐｅ  Ｃｏｍｍｕｎｉｃａｔｉｏｎ）などに応用することができる。
【０００４】
Ｄ２Ｄ通信は、急増しているデータトラフィックによる基地局の負担を解決可能な一つの方案として考慮されている。例えば、Ｄ２Ｄ通信によれば、既存の無線通信システムと違い、基地局の介入無しで装置間にデータをやり取りするので、ネットワークの過負荷が減る。また、Ｄ２Ｄ通信を導入することによって、基地局における手順の減少、Ｄ２Ｄに参加する装置の消費電力の低減、データ伝送速度の増加、ネットワークの収容能力の増大、負荷の分散、セルカバレッジの拡大などの効果を期待することができる。
【発明の概要】
【発明が解決しようとする課題】
【０００５】
本発明では、装置対装置通信において同期信号に関連する送受信方法を技術的課題とする。
【０００６】
本発明で遂げようとする技術的課題は、以上に言及した技術的課題に制限されず、言及していない他の技術的課題は、以下の記載から、本発明の属する技術の分野における通常の知識を有する者に明確に理解されるであろう。
【課題を解決するための手段】
【０００７】
本発明の第１の態様は、無線通信システムにおいて端末がＤ２Ｄ（Ｄｅｖｉｃｅ−ｔｏ−Ｄｅｖｉｃｅ）信号を送信する方法であって、第１端末がＤ２Ｄ同期信号を生成するステップと、前記Ｄ２Ｄ同期信号を含むサブフレームを送信するステップとを有し、前記Ｄ２Ｄ同期信号は、プライマリＤ２Ｄ同期信号及びセカンダリＤ２Ｄ同期信号を含み、前記サブフレームで前記プライマリＤ２Ｄ同期信号及びセカンダリＤ２Ｄ同期信号の少なくとも１つが、前記サブフレームで別個の時間に送信される２つ以上のシーケンスで構成される場合、前記２つ以上のシーケンスは、互いに異なるシーケンスである、Ｄ２Ｄ信号送信方法である。
【０００８】
本発明の第２の態様は、無線通信システムにおいてＤ２Ｄ（Ｄｅｖｉｃｅ−ｔｏ−Ｄｅｖｉｃｅ）信号を送受信する第１端末装置であって、送信モジュールと、プロセッサとを備え、前記プロセッサは、Ｄ２Ｄ同期信号を生成し、前記Ｄ２Ｄ同期信号を含むサブフレームを送信し、前記サブフレームで前記プライマリＤ２Ｄ同期信号及びセカンダリＤ２Ｄ同期信号の少なくとも１つが、前記サブフレームで別個の時間に送信される２つ以上のシーケンスで構成される場合、前記２つ以上のシーケンスは互いに異なるシーケンスである、Ｄ２Ｄ端末装置である。
【０００９】
上記の第１及び第２の態様は次の事項の全て／一部を含むことができる。
【００１０】
上記互いに異なるシーケンスは、互いに異なるルートインデックスを有するシーケンス、又は互いに異なる循環移動を有するザドフチューシーケンスであってもよい。
【００１１】
上記プライマリＤ２Ｄ同期信号を構成するシーケンスは、ザドフチューシーケンスであり、上記セカンダリＤ２Ｄ同期信号を構成するシーケンスは、Ｍシーケンスであってもよい。
【００１２】
上記第１端末が同期レファレンスノードである場合に上記Ｄ２Ｄ同期信号の生成のためのルートシーケンスは、上記第１端末が同期信号をリレーするノードである場合に上記Ｄ２Ｄ同期信号の生成のためのルートシーケンスと異なってもよい。
【００１３】
上記Ｄ２Ｄ同期信号が送信される上記サブフレームは、上記第１端末が同期レファレンスノードであるか又は同期信号をリレーするノードであるかを示すことができる。
【００１４】
上記第１端末は、上記Ｄ２Ｄ同期信号が送信されるサブフレーム内の上記Ｄ２Ｄ同期信号の生成のためのルートシーケンスを用いて、上記第１端末がカバレッジ内（ｉｎ  ｃｏｖｅｒａｇｅ）の端末であるか又はカバレッジ外（ｏｕｔ  ｃｏｖｅｒａｇｅ）の端末であるかを示すことができる。
【００１５】
上記第１端末がＤ２Ｄ同期レファレンスノードになった場合、上記Ｄ２Ｄ同期信号の生成に用いられるＩＤは、上記第１端末が上記Ｄ２Ｄ同期レファレンスノードになる前の同期レファレンスノードが使用したＩＤを継承してもよい。
【００１６】
上記サブフレームは、上記第１端末が上記Ｄ２Ｄ同期信号を送信する時間に関する情報を含んでもよい。
【００１７】
上記時間に関する情報は、上記Ｄ２Ｄ同期信号を受信する端末の同期レファレンスノード変更推定に用いられてもよい。
【００１８】
上記同期信号が送信されるサブフレームに含まれた参照信号は、端末ＩＤ、セルＩＤ又はプライマリＤ２Ｄ同期信号に基づいて生成されたシーケンスであってもよい。
【００１９】
上記参照信号の生成に用いられるＩＤは、上記第１端末がカバレッジ内（ｉｎ  ｃｏｖｅｒａｇｅ）の端末であるか又はカバレッジ外（ｏｕｔ  ｃｏｖｅｒａｇｅ）の端末であるかを示すことができる。
【００２０】
上記Ｄ２Ｄ同期信号は、上記サブフレームに含まれたデータ復号のための参照信号として用いられてもよい。
本発明は、例えば以下を提供する：
（項目１）
無線通信システムにおいて端末がＤ２Ｄ（Ｄｅｖｉｃｅ−ｔｏ−Ｄｅｖｉｃｅ）信号を送信する方法であって、
第１端末がＤ２Ｄ同期信号を生成するステップと、
前記Ｄ２Ｄ同期信号を含むサブフレームを送信するステップと、
を有し、
前記Ｄ２Ｄ同期信号は、プライマリＤ２Ｄ同期信号及びセカンダリＤ２Ｄ同期信号を含み、
前記サブフレームで前記プライマリＤ２Ｄ同期信号及びセカンダリＤ２Ｄ同期信号の少なくとも１つが、前記サブフレームで別個の時間に送信される２つ以上のシーケンスで構成される場合、前記２つ以上のシーケンスは、互いに異なるシーケンスである、Ｄ２Ｄ信号送信方法。
（項目２）
前記互いに異なるシーケンスは、互いに異なるルートインデックスを有するシーケンス又は互いに異なる循環移動を有するザドフチューシーケンスである、項目１に記載のＤ２Ｄ信号送信方法。
（項目３）
前記プライマリＤ２Ｄ同期信号を構成するシーケンスは、ザドフチューシーケンスであり、前記セカンダリＤ２Ｄ同期信号を構成するシーケンスは、Ｍシーケンスである、項目２に記載のＤ２Ｄ信号送信方法。
（項目４）
前記第１端末が同期レファレンスノードである場合に前記Ｄ２Ｄ同期信号の生成のためのルートシーケンスは、前記第１端末が同期信号をリレーするノードである場合に前記Ｄ２Ｄ同期信号の生成のためのルートシーケンスと異なる、項目１に記載のＤ２Ｄ信号送信方法。
（項目５）
前記Ｄ２Ｄ同期信号が送信される前記サブフレームは、前記第１端末が同期レファレンスノードであるか又は同期信号をリレーするノードであるかを示す、項目１に記載のＤ２Ｄ信号送信方法。
（項目６）
前記第１端末は、前記Ｄ２Ｄ同期信号が送信されるサブフレーム内の前記Ｄ２Ｄ同期信号の生成のためのルートシーケンスを用いて、前記第１端末がカバレッジ内（ｉｎ  ｃｏｖｅｒａｇｅ）の端末であるか又はカバレッジ外（ｏｕｔ  ｃｏｖｅｒａｇｅ）の端末であるかを示す、項目１に記載のＤ２Ｄ信号送信方法。
（項目７）
前記第１端末がＤ２Ｄ同期レファレンスノードになった場合、前記Ｄ２Ｄ同期信号の生成に用いられるＩＤは、前記第１端末が前記Ｄ２Ｄ同期レファレンスノードになる前の同期レファレンスノードが使用したＩＤを継承する、項目６に記載のＤ２Ｄ信号送信方法。
（項目８）
前記サブフレームは、前記第１端末が前記Ｄ２Ｄ同期信号を送信する時間に関する情報を含む、項目１に記載のＤ２Ｄ信号送信方法。
（項目９）
前記時間に関する情報は、前記Ｄ２Ｄ同期信号を受信する端末の同期レファレンスノード変更推定に用いられる、項目８に記載のＤ２Ｄ信号送信方法。
（項目１０）
前記同期信号が送信されるサブフレームに含まれた参照信号は、端末ＩＤ、セルＩＤ又はプライマリＤ２Ｄ同期信号に基づいて生成されたシーケンスである、項目１に記載のＤ２Ｄ信号送信方法。
（項目１１）
前記参照信号の生成に用いられるＩＤは、前記第１端末がカバレッジ内（ｉｎ  ｃｏｖｅｒａｇｅ）の端末であるか又はカバレッジ外（ｏｕｔ  ｃｏｖｅｒａｇｅ）の端末であるかを示す、項目１０に記載のＤ２Ｄ信号送信方法。
（項目１２）
前記Ｄ２Ｄ同期信号は、前記サブフレームに含まれたデータ復号のための参照信号として用いられる、項目１０に記載のＤ２Ｄ信号送信方法。
（項目１３）
無線通信システムにおいてＤ２Ｄ（Ｄｅｖｉｃｅ−ｔｏ−Ｄｅｖｉｃｅ）信号を送受信する第１端末装置であって、
送信モジュールと、
プロセッサと、
を備え、
前記プロセッサは、Ｄ２Ｄ同期信号を生成し、前記Ｄ２Ｄ同期信号を含むサブフレームを送信し、
前記サブフレームで前記プライマリＤ２Ｄ同期信号及びセカンダリＤ２Ｄ同期信号の少なくとも１つが、前記サブフレームで別個の時間に送信される２つ以上のシーケンスで構成される場合、前記２つ以上のシーケンスは、互いに異なるシーケンスである、Ｄ２Ｄ端末装置。
【発明の効果】
【００２１】
本発明によれば、Ｄ２Ｄで効率的に同期信号を送受信することができる。
【００２２】
本発明から得られる効果は、以上で言及した効果に制限されず、言及していない他の効果は、以下の記載から、本発明の属する技術の分野における通常の知識を有する者には明確に理解されるであろう。
【図面の簡単な説明】
【００２３】
本明細書に添付する図面は、本発明に関する理解を提供するためのものであり、本発明の様々な実施の形態を示し、明細書の記載と共に本発明の原理を説明するためのものである。
【００２４】
【図１】図１は、無線フレームの構造を示す図である。
【００２５】
【図２】図２は、下りリンクスロットにおけるリソースグリッド（ｒｅｓｏｕｒｃｅ  ｇｒｉｄ）を示す図である。
【００２６】
【図３】図３は、下りリンクサブフレームの構造を示す図である。
【００２７】
【図４】図４は、上りリンクサブフレームの構造を示す図である。
【００２８】
【図５】図５乃至図７は、Ｄ２Ｄ同期信号及びシーケンスを説明するための図である。
【図６】図５乃至図７は、Ｄ２Ｄ同期信号及びシーケンスを説明するための図である。
【図７】図５乃至図７は、Ｄ２Ｄ同期信号及びシーケンスを説明するための図である。
【００２９】
【図８】図８は、Ｄ２Ｄ同期信号フォーマットを説明するための図である。
【００３０】
【図９】図９乃至図１０は、Ｄ２Ｄ同期信号／Ｄ２Ｄ同期信号が送信されるサブフレーム構造を説明するための図である。
【図１０】図９乃至図１０は、Ｄ２Ｄ同期信号／Ｄ２Ｄ同期信号が送信されるサブフレーム構造を説明するための図である。
【００３１】
【図１１】図１１は、送受信装置の構成を示す図である。
【発明を実施するための形態】
【００３２】
以下の実施例は、本発明の構成要素及び特徴を所定の形態で結合したものである。各構成要素又は特徴は、別に明示しない限り、選択的なものとして考慮されてもよい。各構成要素又は特徴は、他の構成要素や特徴と結合しない形態で実施されてもよく、また、一部の構成要素及び／又は特徴は結合されて本発明の実施例を構成してもよい。本発明の実施例で説明される動作の順序は変更されてもよい。ある実施例の一部の構成や特徴は、他の実施例に含まれてもよく、他の実施例の対応する構成又は特徴に代えてもよい。
【００３３】
本明細書では、本発明の実施例を、基地局と端末間におけるデータ送受信の関係を中心に説明する。ここで、基地局は、端末と直接に通信を行うネットワークの終端ノード（ｔｅｒｍｉｎａｌ  ｎｏｄｅ）としての意味を有する。本文書で、基地局により行われるとした特定動作は、場合によっては、基地局の上位ノード（ｕｐｐｅｒ  ｎｏｄｅ）により行われてもよい。
【００３４】
すなわち、基地局を含む複数のネットワークノード（ｎｅｔｗｏｒｋ  ｎｏｄｅｓ）で構成されるネットワークにおいて、端末との通信のために行われる様々な動作は、基地局、又は基地局以外の他のネットワークノードにより行われるということは明らかである。「基地局（ＢＳ：Ｂａｓｅ  Ｓｔａｔｉｏｎ）」は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（ＡＰ：Ａｃｃｅｓｓ  Ｐｏｉｎｔ）などの用語に代えてもよい。中継機は、Ｒｅｌａｙ  Ｎｏｄｅ（ＲＮ）、Ｒｅｌａｙ  Ｓｔａｔｉｏｎ（ＲＳ）などの用語に代えてもよい。また、「端末（Ｔｅｒｍｉｎａｌ）」は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）、ＳＳ（Ｓｕｂｓｃｒｉｂｅｒ  Ｓｔａｔｉｏｎ）などの用語に代えてもよい。
【００３５】
以下に記述されるセルの名称は、基地局（ｂａｓｅ  ｓｔａｔｉｏｎ、ｅＮＢ）、セクタ（ｓｅｃｔｏｒ）、リモートラジオヘッド（ｒｅｍｏｔｅ  ｒａｄｉｏ  ｈｅａｄ，ＲＲＨ）、リレー（ｒｅｌａｙ）などの送受信ポイントに適用され、また、特定送受信ポイントで構成搬送波（ｃｏｍｐｏｎｅｎｔ  ｃａｒｒｉｅｒ）を区分するための包括的な用語で使われてもよい。
【００３６】
以下の説明で使われる特定用語は、本発明の理解を助けるために提供されたもので、これらの特定用語の使用は、本発明の技術的思想から逸脱することなく他の形態に変更されてもよい。
【００３７】
場合によっては、本発明の概念が曖昧になることを避けるために、公知の構造及び装置を省略したり、各構造及び装置の核心機能を中心にしたブロック図の形式で示すこともできる。また、本明細書全体を通じて同一の構成要素には同一の図面符号を付して説明する。
【００３８】
本発明の実施例は、無線接続システムであるＩＥＥＥ  ８０２システム、３ＧＰＰシステム、３ＧＰＰ  ＬＴＥ及びＬＴＥ−Ａ（ＬＴＥ−Ａｄｖａｎｃｅｄ）システム、及び３ＧＰＰ２システムの少なくとも一つに開示された標準文書でサポートすることができる。すなわち、本発明の実施例において本発明の技術的思想を明確にするために説明していない段階又は部分は、上記の標準文書でサーポートすることができる。なお、本文書で開示している全ての用語は、上記の標準文書によって説明することができる。
【００３９】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などのような種々の無線接続システムに用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって具現することができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術によって具現することができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などのような無線技術によって具現することができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（ｌｏｎｇ  ｔｅｒｍ  ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であり、下りリンクでＯＦＤＭＡを採用し、上りリンクでＳＣ−ＦＤＭＡを採用する。ＬＴＥ−Ａ（Ａｄｖａｎｃｅｄ）は、３ＧＰＰ  ＬＴＥの進展である。ＷｉＭＡＸは、ＩＥＥＥ  ８０２．１６ｅ規格（ＷｉｒｅｌｅｓｓＭＡＮ−ＯＦＤＭＡ  Ｒｅｆｅｒｅｎｃｅ  Ｓｙｓｔｅｍ）及び進展したＩＥＥＥ  ８０２．１６ｍ規格（ＷｉｒｅｌｅｓｓＭＡＮ−ＯＦＤＭＡ  Ａｄｖａｎｃｅｄ  ｓｙｓｔｅｍ）によって説明することができる。明確性のために、以下では、３ＧＰＰ  ＬＴＥ及びＬＴＥ−Ａシステムを中心に説明するが、本発明の技術的思想はこれに制限されない。
【００４０】
ＬＴＡ／ＬＴＡ−Ａリソース構造／チャネル
【００４１】
図１を参照して無線フレームの構造について説明する。
【００４２】
セルラーＯＦＤＭ無線パケット通信システムにおいて、上り／下りリンク信号パケット送信はサブフレーム（ｓｕｂｆｒａｍｅ）単位に行われ、１サブフレームは、複数のＯＦＤＭシンボルを含む一定の時間区間と定義される。３ＧＰＰ  ＬＴＥ標準では、ＦＤＤ（Ｆｒｅｑｕｅｎｃｙ  Ｄｉｖｉｓｉｏｎ  Ｄｕｐｌｅｘ）に適用可能なタイプ１無線フレーム（ｒａｄｉｏ  ｆｒａｍｅ）構造と、ＴＤＤ（Ｔｉｍｅ  Ｄｉｖｉｓｉｏｎ  Ｄｕｐｌｅｘ）に適用可能なタイプ２無線フレーム構造を支援する。
【００４３】
図１（ａ）は、タイプ１無線フレームの構造を例示する図である。下りリンク無線フレームは１０個のサブフレームで構成され、１個のサブフレームは時間領域（ｔｉｍｅ  ｄｏｍａｉｎ）において２個のスロット（ｓｌｏｔ）で構成される。１個のサブフレームを送信するためにかかる時間をＴＴＩ（ｔｒａｎｓｍｉｓｓｉｏｎ  ｔｉｍｅ  ｉｎｔｅｒｖａｌ）という。例えば、１サブフレームの長さは１ｍｓであり、１スロットの長さは０．５ｍｓであってよい。１スロットは時間領域において複数のＯＦＤＭシンボルを含み、周波数領域において複数のリソースブロック（Ｒｅｓｏｕｒｃｅ  Ｂｌｏｃｋ；ＲＢ）を含む。３ＧＰＰ  ＬＴＥシステムでは、下りリンクでＯＦＤＭＡを用いているため、ＯＦＤＭシンボルが１シンボル区間を表す。ＯＦＤＭシンボルは、ＳＣ−ＦＤＭＡシンボル又はシンボル区間と呼ぶこともできる。リソースブロック（ＲＢ）はリソース割当て単位であり、１スロットにおいて複数個の連続した副搬送波（ｓｕｂｃａｒｒｉｅｒ）を含むことができる。
【００４４】
１スロットに含まれるＯＦＤＭシンボルの数は、ＣＰ（Ｃｙｃｌｉｃ  Ｐｒｅｆｉｘ）の構成（ｃｏｎｆｉｇｕｒａｔｉｏｎ）によって異なってもよい。ＣＰには、拡張ＣＰ（ｅｘｔｅｎｄｅｄ  ＣＰ）及び一般ＣＰ（ｎｏｒｍａｌ  ＣＰ）がある。例えば、ＯＦＤＭシンボルが一般ＣＰによって構成された場合、１スロットに含まれるＯＦＤＭシンボルの数は７個であってよい。ＯＦＤＭシンボルが拡張ＣＰによって構成された場合、１  ＯＦＤＭシンボルの長さが増加するため、１スロットに含まれるＯＦＤＭシンボルの数は、一般ＣＰの場合に比べて少ない。拡張ＣＰの場合に、例えば、１スロットに含まれるＯＦＤＭシンボルの数は６個であってもよい。端末が速い速度で移動する場合などのようにチャネル状態が不安定な場合は、シンボル間干渉をより減らすために、拡張ＣＰを用いることができる。
【００４５】
一般ＣＰが用いられる場合、１スロットは７個のＯＦＤＭシンボルを含み、１サブフレームは１４個のＯＦＤＭシンボルを含む。このとき、各サブフレームにおける先頭２個又は３個のＯＦＤＭシンボルはＰＤＣＣＨ（ｐｈｙｓｉｃａｌ  ｄｏｗｎｌｉｎｋ  ｃｏｎｔｒｏｌ  ｃｈａｎｎｅｌ）に割り当て、残りのＯＦＤＭシンボルはＰＤＳＣＨ（ｐｈｙｓｉｃａｌ  ｄｏｗｎｌｉｎｋ  ｓｈａｒｅｄ  ｃｈａｎｎｅｌ）に割り当てることができる。
【００４６】
図１（ｂ）は、タイプ２無線フレームの構造を示す図である。タイプ２無線フレームは、２ハーフフレーム（ｈａｌｆ  ｆｒａｍｅ）で構成される。各ハーフフレームは、５サブフレーム、ＤｗＰＴＳ（Ｄｏｗｎｌｉｎｋ  Ｐｉｌｏｔ  Ｔｉｍｅ  Ｓｌｏｔ）、保護区間（Ｇｕａｒｄ  Ｐｅｒｉｏｄ；ＧＰ）、及びＵｐＰＴＳ（Ｕｐｌｉｎｋ  Ｐｉｌｏｔ  Ｔｉｍｅ  Ｓｌｏｔ）で構成され、ここで、１サブフレームは２スロットで構成される。ＤｗＰＴＳは、端末での初期セル探索、同期化又はチャネル推定に用いられる。ＵｐＰＴＳは、基地局でのチャネル推定と端末の上り送信同期を取るために用いられる。保護区間は、上りリンク及び下りリンク間に下りリンク信号の多重経路遅延によって上りリンクで生じる干渉を除去するための区間である。一方、無線フレームのタイプにかかわらず、１個のサブフレームは２個のスロットで構成される。
【００４７】
無線フレームの構造は例示に過ぎず、無線フレームに含まれるサブフレームの数、サブフレームに含まれるスロットの数、又はスロットに含まれるシンボルの数は様々に変更されてもよい。
【００４８】
図２は、下りリンクスロットにおけるリソースグリッド（ｒｅｓｏｕｒｃｅ  ｇｒｉｄ）を示す図である。同図で、１下りリンクスロットは時間領域で７個のＯＦＤＭシンボルを含み、１リソースブロック（ＲＢ）は周波数領域で１２個の副搬送波を含むとしたが、本発明はこれに制限されない。例えば、一般ＣＰ（ｎｏｒｍａｌ−Ｃｙｃｌｉｃ  Ｐｒｅｆｉｘ）では１スロットが７  ＯＦＤＭシンボルを含むが、拡張ＣＰ（ｅｘｔｅｎｄｅｄ−ＣＰ）では１スロットが６  ＯＦＤＭシンボルを含んでもよい。リソースグリッド上のそれぞれの要素をリソース要素（ｒｅｓｏｕｒｃｅ  ｅｌｅｍｅｎｔ）と呼ぶ。１リソースブロックは１２×７個のリソース要素を含む。下りリンクスロットに含まれるリソースブロックの個数ＮＤＬは、下り送信帯域幅による。上りリンクスロットは下りリンクスロットと同一の構造を有することができる。
【００４９】
図３は、下りリンクサブフレームの構造を示す図である。１サブフレーム内で第１のスロットにおける先頭部の最大３個のＯＦＤＭシンボルは、制御チャネルが割り当てられる制御領域に該当する。残りのＯＦＤＭシンボルは、物理下り共有チャネル（Ｐｈｙｓｉｃａｌ  Ｄｏｗｎｌｉｎｋ  Ｓｈａｒｅｄ  Ｃｈａｎｃｅｌ；ＰＤＳＣＨ）が割り当てられるデータ領域に該当する。３ＧＰＰ  ＬＴＥシステムで用いられる下り制御チャネルには、例えば、物理制御フォーマット指示子チャネル（Ｐｈｙｓｉｃａｌ  Ｃｏｎｔｒｏｌ  Ｆｏｒｍａｔ  ＩｎｄｉｃａｔｏｒＣｈａｎｎｅｌ；ＰＣＦＩＣＨ）、物理下り制御チャネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）、物理ＨＡＲＱ指示子チャネル（Ｐｈｙｓｉｃａｌ  Ｈｙｂｒｉｄ  ａｕｔｏｍａｔｉｃ  ｒｅｐｅａｔ  ｒｅｑｕｅｓｔ  Ｉｎｄｉｃａｔｏｒ  Ｃｈａｎｅｌ；ＰＨＩＣＨ）などがある。ＰＣＦＩＣＨは、サブフレームの最初のＯＦＤＭシンボルで送信され、サブフレーム内の制御チャネル送信に用いられるＯＦＤＭシンボルの個数に関する情報を含む。ＰＨＩＣＨは、上り送信の応答としてＨＡＲＱ  ＡＣＫ／ＮＡＣＫ信号を含む。ＰＤＣＣＨで送信される制御情報を、下りリンク制御情報（Ｄｏｗｎｌｉｎｋ  Ｃｏｎｔｒｏｌ  Ｉｎｆｏｒｍａｔｉｏｎ；ＤＣＩ）という。ＤＣＩは、上りリンク又は下りリンクスケジューリング情報を含んだり、任意の端末グループに対する上り送信電力制御命令を含む。ＰＤＣＣＨは、下り共有チャネル（ＤＬ−ＳＣＨ）のリソース割当て及び送信フォーマット、上り共有チャネル（ＵＬ−ＳＣＨ）のリソース割当て情報、ページングチャネル（ＰＣＨ）のページング情報、ＤＬ−ＳＣＨ上のシステム情報、ＰＤＳＣＨ上で送信されるランダムアクセス応答（Ｒａｎｄｏｍ  Ａｃｃｅｓｓ  Ｒｅｓｐｏｎｓｅ）のような上位層制御メッセージのリソース割当て、任意の端末グループ内の個別端末に対する送信電力制御命令のセット、送信電力制御情報、ＶｏＩＰ（Ｖｏｉｃｅ  ｏｖｅｒ  ＩＰ）の活性化などを含むことができる。複数のＰＤＣＣＨが制御領域内で送信されてもよく、端末は複数のＰＤＣＣＨをモニタすることができる。ＰＤＣＣＨは一つ以上の連続する制御チャネル要素（Ｃｏｎｔｒｏｌ  Ｃｈａｎｎｅｌ  Ｅｌｅｍｅｎｔ；ＣＣＥ）の組み合わせ（ａｇｇｒｅｇａｔｉｏｎ）で送信される。ＣＣＥは、無線チャネルの状態に基づくコーディングレートでＰＤＣＣＨを提供するために用いられる論理割当て単位である。ＣＣＥは、複数個のリソース要素グループに対応する。ＰＤＣＣＨのフォーマットと利用可能なビット数は、ＣＣＥの個数とＣＣＥによって提供されるコーディングレート間の相関関係によって決定される。基地局は、端末に送信されるＤＣＩによってＰＤＣＣＨフォーマットを決定し、制御情報に巡回冗長検査（Ｃｙｃｌｉｃ  Ｒｅｄｕｎｄａｎｃｙ  Ｃｈｅｃｋ；ＣＲＣ）を付加する。ＣＲＣは、ＰＤＣＣＨの所有者又は用途によって無線ネットワーク臨時識別子（Ｒａｄｉｏ  Ｎｅｔｗｏｒｋ  Ｔｅｍｐｏｒａｒｙ  Ｉｄｅｎｔｉｆｉｅｒ；ＲＮＴＩ）という識別子でマスクされる。ＰＤＣＣＨが特定端末に対するものであれば、端末のｃｅｌｌ−ＲＮＴＩ（Ｃ−ＲＮＴＩ）識別子をＣＲＣにマスクすることができる。又は、ＰＤＣＣＨがページングメッセージに対するものであれば、ページング指示子識別子（Ｐａｇｉｎｇ  Ｉｎｄｉｃａｔｏｒ  Ｉｄｅｎｔｉｆｉｅｒ；Ｐ−ＲＮＴＩ）をＣＲＣにマスクすることができる。ＰＤＣＣＨがシステム情報（より具体的に、システム情報ブロック（ＳＩＢ））に対するものであれば、システム情報識別子及びシステム情報ＲＮＴＩ（ＳＩ−ＲＮＴＩ）をＣＲＣにマスクすることができる。端末のランダムアクセスプリアンブルの送信に対する応答であるランダムアクセス応答を示すために、ランダムアクセス−ＲＮＴＩ（ＲＡ−ＲＮＴＩ）をＣＲＣにマスクすることができる。
【００５０】
図４は、上りリンクサブフレームの構造を示す図である。上りリンクサブフレームは、周波数領域で制御領域とデータ領域とに区別できる。制御領域には上りリンク制御情報を含む物理上り制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）が割り当てられる。データ領域には、ユーザーデータを含む物理上り共有チャネル（Ｐｈｙｓｉｃａｌ  ｕｐｌｉｎｋ  ｓｈａｒｅｄ  ｃｈａｎｎｅｌ；ＰＵＳＣＨ）が割り当てられる。単一搬送波特性を維持するために、一つの端末はＰＵＣＣＨとＰＵＳＣＨを同時に送信しない。一つの端末のＰＵＣＣＨは、サブフレームにおいてリソースブロック対（ＲＢ  ｐａｉｒ）に割り当てられる。リソースブロック対に属するリソースブロックは、２スロットに対して互いに異なった副搬送波を占める。これを、ＰＵＣＣＨに割り当てられるリソースブロック対がスロット境界で周波数−ホップ（ｆｒｅｑｕｅｎｃｙ−ｈｏｐｐｅｄ）するという。
【００５１】
以下では、上述した説明及び既存のＬＴＥ／ＬＴＥ−Ａシステムに基づいて、Ｄ２Ｄ通信において端末間同期信号について説明する。Ｄ２Ｄ通信では、同期信号の基準となる端末、すなわち、同期レファレンスノード（ｓｙｎｃｈｒｏｎｉｚａｔｉｏｎ  ｒｅｆｅｒｅｎｃｅ  ｎｏｄｅ；ＳＲＮ）が存在してもよい。ＳＲＮは、同期推定のための信号（Ｄ２ＤＳＳ）、ＳＲＮに関する情報を含む信号（ＰＤ２ＤＳＣＨ）を送信するノードを意味することができる。ＳＲＮが存在する場合、ＳＲＮの送信する信号は、特に、Ｄ２Ｄ同期信号（Ｄ２Ｄ  ｓｙｎｃｈｒｏｎｉｚａｔｉｏｎ  ｓｉｇｎａｌ；Ｄ２ＤＳＳ）と呼ぶことができる。Ｄ２ＤＳＳは特定シーケンスの形態を有することができ、ＰＤ２ＤＳＣＨは、特定情報を示すシーケンス、又はあらかじめ定められたチャネルコーディングを経たコードワードの形態を有することができる。
【００５２】
ここで、ＳＲＮは、ｅＮＢであってもよく、特定のＤ２Ｄ端末であってもよい。例えば、端末がｅＮＢから同期を取る場合、ＳＲＮはｅＮＢとなり、Ｄ２ＤＳＳはＰＳＳ／ＳＳＳとなる。部分ネットワークカバレッジ（ｐａｒｔｉａｌ  ｎｅｔｗｏｒｋ  ｃｏｖｅｒａｇｅ）又はカバレッジ外（ｏｕｔ  ｏｆ  ｎｅｔｗｏｒｋ  ｃｏｖｅｒａｇｅ）では端末がＳＲＮとなってもよく、セル間ディスカバリ（ｉｎｔｅｒ  ｃｅｌｌ  ｄｉｓｃｏｖｅｒｙ）においても、隣接セルの端末にタイミングを知らせるために、これらの端末がＳＲＮから受信したタイミングに一定のオフセットを加えた時点で、端末がＤ２ＤＳＳをリレーすることができる。この場合、ＳＲＮの送信するＤ２ＤＳＳとリレーされるＤ２ＤＳＳには同じフォーマットを用いてもよいが、場合によって、送信するノードを区別するために別個のフォーマットで送信してもよい。
【００５３】
また、以下の説明で、Ｄ２ＤＳＳと共に、Ｄ２ＤＳＳに関する情報又はＤ２Ｄ信号送受信の前に端末がまず最初い知るべきシステム情報が送信されるチャネルをＰＤ２ＤＳＣＨ（Ｐｈｙｓｉｃａｌ  Ｄ２Ｄ  ｓｙｎｃｈｒｏｎｉｚａｔｉｏｎ  ｃｈａｎｎｅｌ）と呼ぶことができる。ＰＤ２ＤＳＣＨに、Ｄ２Ｄフレーム番号（又は、システムフレーム番号）、Ｄ２Ｄフレーム番号が正確な方法で導き出されたか否か、システムＢＷ、ＴＤＤ構成（ＴＤＤ  ｃｏｎｆｉｇｕｒａｔｉｏｎ）、送信リソースプール、受信リソースプール、同期ソースＩＤ、現在階層レベル（Ｃｕｒｒｅｎｔ  ｓｔｒａｔｕｍ  ｌｅｖｅｌ）、ＴＤＤ／ＦＤＤ区別（ＴＤＤ／ＦＤＤ  ｄｉｆｆｅｒｅｎｔｉａｔｉｏｎ）、スキャン時間（Ｔｉｍｅ  ｔｏ  ｓｃａｎ）、ＵＥが送信タイミングを導き出すｅＮＢのＰＣＩＤ、ＵＥ電力能力（ＵＥ  ｐｏｗｅｒ  ｃａｐａｂｉｌｉｔｙ）、ＮＷからのＵＥ電力限界（ＵＥ  ｐｏｗｅｒ  ｌｉｍｉｔａｔｉｏｎ  ｆｒｏｍ  ＮＷ）、ホップ数（ｈｏｐ  ｃｏｕｎｔ）などの情報の全て或いは一部が含まれて送信されてもよい。
【００５４】
Ｄ２Ｄ同期信号及びシーケンス
【００５５】
Ｄ２Ｄ端末（第１端末）は、Ｄ２ＤＳＳを生成した後、このＤ２ＤＳＳを含むサブフレームを送信することができる。ここで、Ｄ２ＤＳＳは、プライマリＤ２ＤＳＳ（ＰＤ２ＤＳＳ）及びセカンダリＤ２ＤＳＳ（ＳＤ２ＤＳＳ）で構成することができる。ＰＤ２ＤＳＳ及びＳＤ２ＤＳＳの少なくとも１つは、Ｄ２ＤＳＳが送信されるサブフレームで別個の時間に送信される２つ以上のシーケンスで構成することができる。例えば、１つのサブフレームでＤ２ＤＳＳは、２個（又は１個）のＰＳＳ及び２個（又は１個）のＳＳＳで構成されて送信されてもよい。仮に２つ以上のＰＳＳ（又はＳＳＳ）が送信される場合、それらのＰＳＳは別個のシーケンスであってもよい。このように構成することによってＰＤ２ＤＳＳの検出確率を大きく向上させることができる。これは、既存のＬＴＥ／ＬＴＥ−Ａシステムにおける同期信号に比べて少ない頻度で送信され（例えば、４０ｍｓ間隔）、送信頻度が低いため、検出確率を高めることがＤ２Ｄ同期獲得のために重要である。より具体的に、図５を参照して説明する。図５には、１つのサブフレームでＰＳＳが２回送信される場合、コリレーション（Ｃｏｒｒｅｌａｔｉｏｎ）結果を示す。図５（ａ）は、２回送信されるＰＳＳが同一シーケンスである場合の結果を、図５（ｂ）は、２回送信されるＰＳＳが別個のシーケンスで構成された場合を示す。図５（ａ）に示すように、ＰＳＳが同一シーケンスである場合には３回のピークが生成されるが、仮にチャネル環境がよくないと、１番目のピークと２番目のピークとの差が大きくない場合が発生し、タイミング推定にエラーを招きうる。このため、ＰＤ２ＤＳＳを別個のシーケンスで構成することによって、図５（ｂ）に示すように１つのピークを得ることができる。すなわち、別個のシーケンスで構成されたＰＤ２ＤＳＳを送信することによって、チャネル環境にかかわらずに良いタイミング推定性能をなすことができる。上述の説明でいう別個のシーケンスとは、２つのシーケンスのルートインデックスが互いに異なることを意味してもよく、両シーケンスの循環移動が互いに異なることを意味してもよい。又は、別個のルートインデックス及び別個の循環移動値を有するシーケンスを意味してもよい。ＰＤ２ＤＳＳに用いられるシーケンスはザドフチューシーケンスであり、ＳＤ２ＤＳＳに用いられるシーケンスはＭシーケンスであってもよい。
【００５６】
ＰＤ２ＤＳＳは、以下に説明するように４個のＰＳＳで構成されてもよく、以下、図６乃至図７を参照して説明する。
【００５７】
２つのＰＳＳでＰＤ２ＤＳＳが構成された前述の場合のように、４個のＰＤ２ＤＳＳが同一シーケンスの反復である場合、一部だけが重なっても０以外の、相対的に大きいコリレーション値が検出されうる。すなわち、図６（ａ）に示すように、ＰＤ２ＤＳＳ＝［ＰＳＳ０  ＰＳＳ０  ＰＳＳ０  ＰＳＳ０］の場合、コリレータの出力が一つのＰＳＳ周期ごとに０以外のコリレーション値を有することができる。ＰＤ２ＤＳＳ＝［ＰＳＳ０  ＰＳＳ１  ＰＳＳ０  ＰＳＳ１］の場合、図６（ｂ）のようなコリレーション結果を有することができる。この場合、相対的に一番高いピークとその次に高いピークとの差が図６（ａ）の場合に比べて大きいため、タイミングを誤って検出する確率が減るはずである。仮にＰＤ２ＤＳＳ＝［ＰＳＳ０  ＰＳＳ１  ＰＳＳ２  ＰＳＳ３］の場合、図６（ｃ）のようなコリレーション結果を得ることができる。すなわち、同一シーケンスの反復がない方がコリレータの観点では好ましいが、ＰＤ２ＤＳＳ受信機でのシンボルレベルサーチのためには同一シーケンスの反復が必要である。したがって、ＰＤ２ＤＳＳがＮ個のＺＣ（Ｚａｄｏｆ−ｃｈｕ  ｏｒ  Ｚａｄｏｆ−ｃｈｕ  ｓｅｑｕｅｎｃｅ）で構成される場合には、連続したＮ／２個は個別のＺＣで構成し、これを２回反復してＰＤ２ＤＳＳを構成することができる。この場合、チップレベルサーチ（ｃｈｉｐ  ｌｅｖｅｌ  ｓｅａｒｃｈ）を避けることができ、一番高いピークとその次に高いピークとの差が大きいため、誤りの確率も減らすことができる。ＰＤ２ＤＳＳがＮ個のＺＣで構成される場合には、Ｎ個のうち一部は同一ＺＣの反復を連続して配置する。このとき、反復されるＺＣは正中央に位置すればよく、残りのＺＣは、互いに１）同じであっても２）異なってもよい。実施例としては、ＰＤ２ＤＳＳ＝［ＰＳＳ０，ＰＳＳ１，ＰＳＳ１，ＰＳＳ０］がある。これは、シンボルレベルサーチを可能にするとともに、図６（ｂ）の場合に比べてコリレータ出力の一番高いピークとその次に高いピークとの差を大きくさせることができる。この実施例でコリレータ出力（ｎｏｉｓｅ  ｆｒｅｅ）は図７（ａ）のような形態を有することができる。正中央を除いた残りのＺＣが互いに異なる場合、実施例としてＰＤ２ＤＳＳ＝［ＰＳＳ０，ＰＳＳ１，ＰＳＳ１，ＰＳＳ２］も可能である。このとき、コリレータ出力（ｎｏｉｓｅ  ｆｒｅｅ）は図７（ｂ）のような形態を有することができる。図７（ａ）との違いは、１番と７番の位置でピークがなくなるという点である。このようなＰＤ２ＤＳＳの構造で、受信機はＰＳＳ１に対してまずシンボルレベルサーチを行った後（言い換えると、一つのシンボル周期でＰＳＳ１をまず探索した後）、その付近で全ＰＤ２ＤＳＳに対するコリレーションをチップレベルで行って正確な時間同期を見出すことができる。
【００５８】
又は、Ｎ個のＰＳＳでＰＤ２ＤＳＳが構成される場合、最初のＮ／２個は、別個のベースシーケンスで構成し、残りのＮ／２個は、最初のＮ／２個のシーケンスを反対に配置した形態でＰＤ２ＤＳＳを構成することができる。例えばＮ＝６の場合、ＰＤ２ＤＳＳ＝［ＰＳＳ０  ＰＳＳ１  ＰＳＳ２  ＰＳＳ２  ＰＳＳ１  ＰＳＳ０］であってもよい。この場合、中央に同一シンボルが１回反復されるため、シンボルレベルサーチも可能であり、全ＰＤ２ＤＳＳをコリレーションする場合にも全ＰＤ２ＤＳＳのコリレーション特性が良い。
【００５９】
仮に３個のＰＤ２ＤＳＳを生成する場合では次のような形態が可能である。
【００６０】
ＰＤ２ＤＳＳ０＝［ＰＳＳ０  ＰＳＳ１  ＰＳＳ２  ＰＳＳ２  ＰＳＳ１  ＰＳＳ０］
【００６１】
ＰＤ２ＤＳＳ１＝［ＰＳＳ２  ＰＳＳ０  ＰＳＳ１  ＰＳＳ１  ＰＳＳ０  ＰＳＳ２］
【００６２】
ＰＤ２ＤＳＳ２＝［ＰＳＳ１  ＰＳＳ２  ＰＳＳ０  ＰＳＳ０  ＰＳＳ２  ＰＳＳ１］
【００６３】
このとき、最初の３個の組み合わせについて説明すると、次のような特徴を有する。
【００６４】
［ＰＳＳ０  ＰＳＳ１  ＰＳＳ２］
【００６５】
［ＰＳＳ２  ＰＳＳ０  ＰＳＳ１］
【００６６】
［ＰＳＳ１  ＰＳＳ２  ＰＳＳ０］
【００６７】
縦・横のインデックスの和が３といつも等しい魔方陣（ｍａｇｉｃ  ｓｑｕａｒｅ）の行列であるが、これは反対の順序で配置しても同一の特性を有する。
【００６８】
［ＰＳＳ２  ＰＳＳ１  ＰＳＳ０］
【００６９】
［ＰＳＳ１  ＰＳＳ０  ＰＳＳ２］
【００７０】
［ＰＳＳ０  ＰＳＳ２  ＰＳＳ１］
【００７１】
このように生成されたＰＤ２ＤＳＳは、全位置で別個のＰＳＳが配置されているため、同一時点に受信されたＰＤ２ＤＳＣＨ間のコリレーションは０となる。また、シフトしてコリレーションを取った場合、別個の２つのＰＤ２ＤＳＳ間には最大２個のＰＳＳしか重ならない。魔方陣そのものではサイクリックシフトして重なる部分が３個のうち２個であって大きい方であるが、これを反対の順序でもう一度配置することによって、全体シンボル長とシフトした時に重なる部分との比率が２と著しく減る。
【００７２】
他の例として、１つのサブフレームにＰＤ２ＤＳＳが２シンボルのＰＳＳで構成される場合、ＰＳＳ０、ＰＳＳ１のように、別個のルートシーケンス（ｒｏｏｔ  ｓｅｑｕｅｎｃｅ）を有するＰＳＳで構成することができる。
【００７３】
上述したＰＤ２ＤＳＳの構造はＳＤ２ＤＳＳ構造にも同様に適用可能である。
【００７４】
Ｄ２Ｄ同期信号フォーマット関連
【００７５】
本発明の実施例によるＤ２Ｄ同期信号フォーマットは、送信ノード別に区別することができる。具体的に、Ｄ２Ｄ同期信号を送信する端末が同期レファレンスノードか或いは同期信号をリレーするノードかによって異なるＤ２Ｄ同期信号（フォーマット）を用いることができる。ここで、同期信号フォーマットとは、シーケンス長、シーケンスＩＤ、ルートシーケンスインデックス、サイクリックシフト、反復回数、送信位置（時間及び／又は周波数）、送信周期などを意味することができる。したがって、送信ノードによって同期信号フォーマットが変更されるということは、送信ノードの性格／役割／特徴によって、シーケンス長の変更、シーケンスＩＤの変更、ルートシーケンスインデックスの変更、サイクリックシフトの変更、反復回数の変更、送信位置（時間及び／又は周波数）の変更、送信周期の変更などが行われることを意味できる。
【００７６】
例えば、同期信号を送信する端末が同期レファレンスノードである場合、上記のＤ２Ｄ同期信号生成のためのルートシーケンスは、上記第１端末が同期信号をリレーするノードである場合には上記Ｄ２Ｄ同期信号生成のためのルートシーケンスと異なってもよい。
【００７７】
又は、送信位置の変更と関連して、同期信号を送信する端末がＳＲＮであるかリレーであるかによって、Ｄ２Ｄ同期信号が送信されるサブフレーム（又はサブフレームの周期）を別にしてもよい。すなわち、Ｄ２Ｄ同期信号が送信される上記サブフレームは、上記端末が同期レファレンスノードか又は同期信号をリレーするノードかを示すものであってもよい。
【００７８】
なお、Ｄ２Ｄ同期信号フォーマットは、Ｄ２Ｄ端末がカバレッジ内（ｉｎ  ｃｏｖｅｒａｇｅ）の端末であるか又はカバレッジ外（ｏｕｔ  ｃｏｖｅｒａｇｅ）の端末であるかによって異なってもよい。すなわち、端末は、上記Ｄ２Ｄ同期信号が送信されるサブフレーム内の上記Ｄ２Ｄ同期信号生成のためのルートシーケンスを用いて、上記第１端末がカバレッジ内（ｉｎ  ｃｏｖｅｒａｇｅ）の端末か又はカバレッジ外（ｏｕｔ  ｃｏｖｅｒａｇｅ）の端末かを示すことができる。
【００７９】
送信ノードによるフォーマットの区別は、上記言及した項目の一部又は全てを含むことができる。本発明の範ちゅうには、ＳＲＮとこれをリレーする端末が同一フォーマットを使用するものの、別個の時点に送信することも可能である。他の例として、ＳＲＮが送信する同期信号は、長さ６３のＺＣが中央の６ＲＢにＰＳＳ反復された形態で送信されてもよく、これをリレーする端末は、別の時点で長さ１３９のＺＣを用いてＤ２ＤＳＳを送信することができる。また、端末が送信するＺＣのＣＳが互いに異なってもよい。
【００８０】
同一タイプのＳＲＮであってもノードが変更される場合にはＤ２Ｄ同期信号のフォーマットが区別されてもよい。特定のノードが持続して同期信号を送信する場合、当該ノードに起こりうるバッテリー不足の問題を考慮したものである。したがって、一定の時間が過ぎると、同期信号を送信するノードが変わってもよい。この時、これを受信する端末にその事実を知らせるためにＤ２ＤＳＳのフォーマットを変更することができる。このようなフォーマットの変更においても（すなわち、同一タイプのＳＲＮであってもバッテリー不足の問題からその主体が変わった場合にも）、上記の“送信ノードによるフォーマットの区別”で列挙した方式の全て又は一部を含めて変更されてもよい。
【００８１】
又は、ＰＳＳ及び／又はＳＳＳの長さが異なってもよい。例えば、ＰＳＳが素数を使用することは、ＰＳＳ間区別が必要なとき、クロスコリレーション特性の良い多くのルートシーケンスを使用可能になり、好ましい。したがって、ＰＤ２ＤＳＳは、既存のＰＳＳ長をそのまま使用せず、６７のように素数を使用し、ＳＳは２＾Ｍ−１のＭシーケンスを使用することができる。
【００８２】
一方、ＰＤ２ＤＳＳはＺＣ、ＰＤ２ＤＳＳはＭシーケンスで構成することができる。ＺＣとＭシーケンスのＰＡＰＲが異なることによりカバレッジが変わってもよい。したがって、ＰＳＳとＳＳＳが反復形態で送信される場合、その反復回数はＳＳＳの方がより多くてもよい。例えば、１００ｍｓ周期でＤ２ＤＳＳが送信されるとき、ＰＳＳはＭ回反復して送信され、ＳＳＳはその後にＭ＋ａ回反復して送信されてもよい（Ｍ、ａは、あらかじめ定められた自然数）。このとき、ＳＳＳがより多く送信される場合、最後のＳＳＳを特定のフォーマットにし、同期の終わり部分を区別することができる。ＺＣシーケンスの長さを次のように決定することができる。既存のＰＳＳは、ＺＣベースに送信されるが、３個の別個のルートシーケンスを有する。これは、ＰＳＳの長さをＳＳＳのＭシーケンス（２＾Ｍ−１、２個のＳＳＳの組み合わせであって、３１＊２＋１（ＤＣ  ｃａｒｒｉｅｒ）＝６３）に合わせたためであるが、仮にＰＳＳでのみ構成されたＤ２ＤＳＳの場合にはこのような制約が不要である。しかも、ＰＳＳが周波数軸中央の６ＲＢ以外の他の領域でも送信される場合、ＤＣ搬送波が不要であるため、６３長さを維持する必要がない。又は、Ｄ２ＤＳＳがＺＣとＭシーケンスの組み合わせであるとしても、その長さはＺＣとＭシーケンスにおいて異なったものを使用してもよい。ＰＤ２ＤＳＳ（Ｐｒｉｍａｒｙ  Ｄ２ＤＳＳ）にＺＣベースのシーケンスが用いられる場合、１つのＺＣの長さは素数となることが好ましい。したがって、次の表１の素数のうちいずれか一つの数字をＤ２ＤＳＳのＺＣの長さとして用いることができる。
【００８３】
【表１】
0006511048.tif 000002
【００８４】
上記の表１の素数で、以降のＳＤ２ＤＳＳがＭシーケンスである場合、ＳＤ２ＤＳＳの長さは素数でない可能性が高い。その場合、ＳＤ２ＤＳＳと長さを合わせるために、ＳＤ２ＤＳＳと等しい長さのＺＣを使用してもよい。又は、Ｄ２ＤでＰＳＳ受信機の動作を維持するために、既存のＰＳＳのように長さ６３のＺＣを使用してもよい。このとき、１３９は、ＰＲＡＣＨのフォーマット４に用いられるものであり、６ＲＢ以内でマップされるために７．５ＫＨｚ副搬送波間隔（ｓｕｂｃａｒｒｉｅｒ  ｓｐａｃｉｎｇ）を用いる。ＰＲＡＣＨフォーマット４は４０９６Ｔｓの長さを有し、これは約２  ＯＦＤＭシンボル長と同一である。したがって、ＰＲＡＣＨフォーマット４のような１３９長さのＺＣがＤ２ＤＳＳの全体又は一部の構造として用いられてもよい。
【００８５】
仮にＤ２ＤＳＳが６ＲＢ以下で送信される場合、データの１５ｋＨｚ副搬送波間隔よりも狭くなってもよい。例えば、長さ１３９のＺＣが用いられるが、２ＲＢで送信される場合、副搬送波間隔は２．５ｋＨｚになってもよく、時間ドメインでシンボル長は約６個のＯＦＤＭシンボルであってもよい。又は、１ＲＢで送信される場合、既存のＰＲＡＣＨフォーマット０〜３までの副搬送波間隔である１．２５ＫＨｚを用いることができ、このとき、１つのＺＣの長さは約１２個のＯＦＤＭシンボルを占有する。かかる設計の場合、１つの端末が占有する周波数リソースのサイズが減るため、端末間に別個の周波数位置でＤ２ＤＳＳを送信するようし、端末のタイプ又はリソース位置の区別、又は端末グループ別同期信号が送信されるリソースのロードを分散させることができる。このようなＤ２ＤＳＳがマップされるＲＢ数は変更可能（ｃｏｎｆｉｇｕｒａｂｌｅ）であってもよい。このとき、Ｄ２ＤＳＳが送信されるＲＢ及びＲＢサイズは、事前に決まっていてもよく、クラスターヘッド又はＳＲＮが送信するチャネルに含まれていてもよい。例えば、長さ１３９のＺＣは、別個のサイクリックシフト（ＣＳ）によって直交するシーケンスを１３９個生成することができる。このとき、遅延拡散とＤ２Ｄレンジ（ｒａｎｇｅ）による時間不確定性（ｔｉｍｅ  ｕｎｃｅｒｔａｉｎｔｙ）によって使用可能なＣＳ数は制限される。既存のＰＲＡＣＨフォーマット４をＤ２ＤＳＳに用いる場合、７個のサイクリックシフト構成をフォーマット４において用いることができ、これは次の表２のとおりである。
【００８６】
【表２】
0006511048.tif 000003
【００８７】
そして、ルートシーケンスは、次の表３に示すようなオーダーを用いることができる。
【００８８】
【表３】
0006511048.tif 000004
【００８９】
Ｄ２Ｄで用いられるＺＣにおいても表２のようなＣＳが用いられてもよい。又は、あらかじめ定められた別のＣＳ組み合わせが用いられてもよい。基本的に、ＰＲＡＣＨフォーマット４はスモールセルのＵｐＰＴＳで使用するためのフォーマットであるが、約１．５ｋｍの半径を考慮してＣＳ組み合わせが決定されたものである。したがって、Ｄ２Ｄ半径がこれよりも小さい又は大きい場合、別のＣＳ組み合わせが用いられてもよい。また、端末はルートシーケンスを毎送信ごとにあらかじめ定められた順序で変更して送信することができる。一例として、ルートシーケンスを変更する順序は、表３に従うことができる。
【００９０】
上述したＺＣの反復によってＰＤ２ＤＳＳが構成されるとき、図８に例示するように、一番目又は初期Ｍ番目まで送信されるＺＣのルートシーケンスのインデックスは一定の個数以下に制限されることが好ましい。これは、初期同期を推定する際に、多すぎるルートシーケンスを用いてコリレーションを行うよりは、一定数以下のルートシーケンスを用いて同期を推定する方が、複雑度の側面で有利であり、同期をリレーする場合、ルートシーケンスがＳＦＮで結合される効果によってエネルギー利得が発生し得るためである。初期同期推定のためのＺＣ組み合わせ以降に構成されるシーケンスは、ＳＳＳのようなＭシーケンス形態であってもよく、ＺＣを用いる場合、ルートシーケンスの制限が解除されたＺＣ（ＺＣ  ｗｉｔｈ  ｕｎｒｅｓｔｒｉｃｔｅｄ  ｒｏｏｔ  ｓｅｑｕｅｎｃｅ）であってもよい。このように、初期同期以降にシーケンスの区別が多い組み合わせを配置することによって、より多いクラスター又は端末を区別することができる。
【００９１】
次に、ＺＣシーケンスのＩＤ（ルートシーケンスインデックス）及び／又はＣＳの変更について説明する。ＣＳの一部をＳＲＮが使用し、残りの一部はＳＲＮの同期信号をリレーする端末が使用してもよい。例えば、同一クラスター内の端末は同一ルートシーケンスのＤ２ＤＳＳを送信するが、ＳＲＮはＣＳ＝０を使用し、これをリレーする他の端末は、０以上の他のＣＳをあらかじめ定められたＣＳセットからランダムに一つ選択して送信することができる。このとき、ＳＲＮが選択するルートシーケンスはランダムに選択してもよく、ＳＲＮ端末ＩＤ又は／及び他のパラメータとの組み合わせからハッシュされた値によるルートシーケンスを使用してもよい。又は、Ｄ２ＤＳＳを送信する主体によって異なるルートシーケンスを用いてもよい。例えば、ＳＲＮが送信するＺＣのルートシーケンスとこれをリレーする端末のルートシーケンスとが異なってもよい。
【００９２】
また、反復回数、周期の変更などの変更と関連して、特定シーケンス又は特定シーケンスの組み合わせでＤ２ＤＳＳが構成される場合、ＳＲＮが送信する反復回数（特定シーケンスが組み合わせられた長さ）、送信周期は、リレーする端末が送信するそれと異なってもよい。例えば、ＳＲＮが送信する周期１００ｍｓごとにＺＣがＮ１回反復（又は、同一又は別個のルートシーケンスの組み合わせ）して送信される場合には、これをリレーする端末では０．５秒ごとにＮ２回反復（又は、同一又は別個のルートシーケンスの組み合わせ）して送信されてもよい。これは、自分のＳＲＮからの同期は頻繁に検出するが、隣接するクラスターの同期は相対的に低い頻繁で確認し、同期信号をリレーする端末の電力消耗を最小化するためである。
【００９３】
上述したＤ２ＤＳＳのフォーマットの一部は、Ｄ２Ｄ端末間でランダムアクセス用途に用いられてもよい。Ｄ２Ｄ端末がスケジューリングを他の端末に要求する場合、既存のＰＲＡＣＨプリアンブルを再使用してもよく、変更された形態を使用してもよい。Ｄ２Ｄランダムアクセスプリアンブルはレンジが広くないことから、ＰＲＡＣＨフォーマットのうち４を使用する可能性が高い。しかし、Ｄ２Ｄプリアンブルは相対的に高い干渉を受ける可能性が高いため、上述した方式である反復又は複数のＺＣの組み合わせで新しいフォーマットを構成してもよい。又は、既存のＲＡＣＨフォーマットと違い、ＰＳＳの長さと同一のＺＣを用いてＤ２Ｄ  ＲＡＣＨのプリアンブル用途に使用してもよい。
【００９４】
Ｄ２Ｄ同期信号／Ｄ２Ｄ同期信号が送信されるサブフレーム構造
【００９５】
以下、本発明の実施例によるＤ２Ｄ同期信号の構造及び／又はＤ２Ｄ同期信号が送信されるサブフレーム構造について説明する。
【００９６】
説明に先立ち、以下に説明されるＰＳＳ／ＳＳＳ、Ｄ２ＤＳＳは次のような特性及びそれによる問題がある。同期信号は５ｍｓごとに送信され、５００個余りのＩＤを区別することができ、ＰＳＳは、非コヒーレント検出が可能でなければならなく、仮説（Ｈｙｐｏｔｈｅｓｉｓ）が３個のみ存在するため、受信端末は３個の仮説に対してのみ検出してみればよい。ＳＳＳはＰＳＳを参照信号として用いてコヒーレント検出をすることができる。Ｄ２ＤＳＳは、周期がＰＳＳ／ＳＳＳに比べて長くてもよい。したがって、端末がチップレベル探索を行う場合、電力消耗が大きく増加しうる（ｕｎｃｅｒｔａｉｎ  ｒｅｇｉｏｎがＤ２ＤＳＳ周期だけ大きくなる（ＰＳＳ／ＳＳＳに比べて遥かに長い区間でコリレータ（ｃｏｒｒｅｌａｔｏｒ）を動作させなければならない。）。仮に、同一シーケンスの時間反復（ｔｉｍｅ  ｒｅｐｅｔｉｔｉｏｎ）構造を用いると、チップレベル探索をシンボルレベルサーチとして具現することができる。周期が長いということは、十分のエネルギー確保が難しいということを意味できる。すなわち、Ｄ２ＤＳＳは周期が長いため、レガシーＰＳＳ／ＳＳＳのようなフォーマットが送信される場合、エネルギーが足りず、効果的な同期性能を担保することが不可能になる。したがって、エネルギー確保のために、１〜２個のシンボルでなく、１サブフレーム全体に又はスロット全体に同期シーケンスが送信されてもよい。
【００９７】
また、Ｄ２ＤＳＳの場合、集中化された制御ノードがないときにはＳＲＮ間で同一ＩＤを有するシーケンスを送信する可能性がある。サブフレーム番号が用いられると、ＳＲＮが同一ホップ（ｈｏｐ）である場合又はＳＲＮが近くにある場合、エネルギーブースティング効果、周波数オフセット平均化効果（ｍａｒｇｉｎａｌ）を期待することができる。ただし、別個のホップ間でシーケンスが同一ＳＦＮを有すると、ディレー差によって受信端末が誤ったタイミングを取ることがある。そして、同一ホップであるとしても、遠く離れたＳＲＮが同一シーケンスを使用する場合には同様に、受信端末が誤ったタイミングを取る可能性がある。このような問題は、ホップを区別するためにＰＤ２ＤＳＣＨにホップカウンタを含めることで解決することができ、ＰＤ２ＤＳＣＨにＳＲＮのＩＤ情報を含めたり、ＳＤ２ＤＳＳでＳＲＮが送信するＤ２ＤＳＳを区別することができる。
【００９８】
又は、概略的な時間同期を取った後、コヒーレント検出によって複数個のＩＤを区別できる方式が用いられてもよい。そのために、ＳＳＳ構造又は同期ソースに関する情報をＰＤ２ＤＳＣＨに含めることができる。
【００９９】
ＰＳＳも衝突可能性が高いため、既存ｅＮＢ同期信号であるＰＳＳよりは多数のＩＤを有するＺＣシーケンスが必要となることもある。ただし、多すぎるルートシーケンスを使用することは、非コヒーレント検出回数だけを増加させることとなり、好ましくない。レガシーＰＳＳはそのまま使用されなくてもよい。ＳＳＳが共に送信されない場合、素数ＺＣを使用することができる。セル計画がよくできている基地局の場合、ＰＳＳが互いに衝突しないようによく配置すればいいが（場合によってはＳＦＮが必要な場合もあるが、例えば、ＣｏＭＰ  ｓｃｅｎａｒｉｏ  ４）、Ｄ２Ｄではセル計画のような方法を適用し難いため、負所望の形態のＳＦＮになることがある。インネットワーク（ｉｎ−ｎｅｔｗｏｒｋ）端末の場合は、Ｄ２ＤＳＳ  ＩＤに対するプランニングがｅＮＢによって制御されてもよいが、カバレッジ外（ｏｕｔ−ｏｆ−ｃｏｖｅｒａｇｅ）のＤ２Ｄ端末は、ランダムにＤ２ＤＳＳを選択して送信する可能性が高い。また、ＡＧＣの問題から、最初の一部のシンボルを検出できず、安定化区間（ｓｔａｂｉｌｉｚｉｎｇ  ｐｅｒｉｏｄ）として使用してもよい。また、最後のシンボルの全て或いは一部もＴｘ／Ｒｘスイッチングによって使用できない可能性がある。
【０１００】
上述の特性、問題を考慮すると、Ｄ２ＤＳＳの最初の全部／一部の区間は、ＡＧＣトレーニング（ｔｒａｉｎｉｎｇ）用途に用いられてもよい。ただし、チップレベル探索を避けるために特定信号が反復される構造を取る場合、別途のＡＧＣ区間は含まれなくてもよい。ＰＤ２ＤＳＳは、素数（Ｐｒｉｍｅ  ｎｕｍｂｅｒ）ＺＣが反復された形態であってもよい。しかし、ＳＳＳの長さと合わせるための限度内では素数でなくてもよい。又は、既存のＰＳＳの反復形態であってもよく、ＲＡＣＨのように副搬送波間隔がより長くなった形態のＺＣシーケンスの反復であってもよい。Ｄ２ＤＳＳが複数個のＩＤを有したり、ＳＲＮを区別するためにレガシーＳＳＳと同一又は類似の構造（Ｍシーケンス）のＳＤ２ＤＳＳが含まれたり、又は、ＰＤ２ＤＳＣＨ（ＳＤ２ＤＳＳがない場合にはＰＤ２ＤＳＣＨにＩＤを区別する情報が含まれてもよい。）がＳＲＮによって送信されてもよい。
【０１０１】
以下、図９を参照して具体的／個別的なＤ２ＤＳＳＤの構造について説明する。以下の説明で、識別番号形態‘ｎ）’は、図９の識別番号に対応する。各識別番号形態に関する説明は、それぞれが一つの実施例を構成するものであってもよく、又は２つ以上の説明の組み合わせが一つの実施例を構成してもよい。
【０１０２】
１）ＰＤ２ＤＳＳの主目的はスロット境界を見出すことにある。既存のＰＳＳに先立ってＳＳＳがまず来るが、Ｄ２ＤＳＳはエネルギー確保のために長い又は短いＺＣシーケンスが反復された形態であるため、同様に、反復構造を借用することがＤ２Ｄ受信端末の観点で有利である。したがって、ＳＳＳが一つのスロット内に位置し難く、ＰＳＳがＳＳＳに先立つ。もちろん、Ｄ２ＤＳＳの周期が短い場合は、一つのスロット内にＳＳＳと共存することもできる。サブフレームの２番目のスロットに配置しない理由は、ＰＤ２ＤＳＳ送信の後にＴｘ／Ｒｘスイッチングのための保護区間が含まれてもよいからである。
【０１０３】
１−１）同一シーケンスの反復構造を使用することが、受信観点でチップレベルコリレーションを取らないため有利である。このとき、図示のように、１つのブロックが２回反復されるが、各ブロックにはＣＰが含まれないことが好ましい。しかし、既存のシンボル構造を活用するためにＣＰが含まれてもよいが、この場合には、ＣＰまで含んだ信号を１つのブロックとして考慮し、受信機はこれを一つの単位にしてコリレーション動作を取ることができる。
【０１０４】
１−２）ＡＧＣのための安定化区間は、別個に含まれてもよく、含まれなくてもよい。別個に含まれている場合には、反復されたブロックのうち最初のブロックの最後の区間がＣＰのように複写された形態であるか、別の不要なシーケンス（ｇａｒｂａｇｅ  ｓｅｑｕｅｎｃｅ）又はあらかじめ決定されたシーケンスが送信される区間であってもよい。すなわち、ＡＧＣのための別途の区間が設定される場合には、Ｄ２ＤＳＳはサブフレーム内でＡＧＣ区間以外の領域にマップされる。
【０１０５】
１−３）一つの反復されたブロックが複数個のＺＣシーケンスの組み合わせで構成された場合には、シーケンスの間にＣＰ区間が含まれていてもよい（既存のノーマルＯＦＤＭシンボル構造の再使用のためである。ＣＰを含み、組み合わせられたＺＣ自体が一つのシーケンスであり、これが反復される形態であってもよい。）。又は、１−４）の場合のように、ＣＰ無しで反復される構造であってもよい。すなわち、使用されないＣＰ区間を集めて前方に配置し、１−２のＡＧＣ区間で不要な（ｇａｒｂａｇｅ）信号が送信される区間であってもよい。
【０１０６】
１−４）単一ＺＣシーケンスの反復で構成されてもよい。このとき、一つのＺＣは、数ＯＦＤＭシンボル長を占めることができ、そのために、一つのＺＣは時間ドメインで送信されたり、又は、周波数ドメインでＲＥマップされる場合には、副搬送波間隔がノーマルＯＦＤＭシンボルよりも狭い間隔を有することができる。例えば、ＰＲＡＣＨフォーマットと類似の副搬送波間隔を有することができる。
２）ＳＤ２ＤＳＳ又はＰＤ２ＤＳＣＨがＰＤ２ＤＳＳに続いて連接したり、別のサブフレームで送信されてもよい。ＳＤ２ＤＳＳの場合、Ｍシーケンスの構造（ＳＳＳと類似の構造であってもよい。）であり、１シンボル長のＭシーケンス構造が複数個組み合わせられて構成されてもよく、１−４）の場合と類似に、副搬送波間隔がより狭く、長くなったＭシーケンス構造が単一又は複数個組み合わせられて構成されてもよい。
【０１０７】
２−１）ＰＤ２ＤＳＣＨだけで一つのスロット又はサブフレームが埋められてもよい。このとき、一般ＯＦＤＭシンボルが複数個構成されて一つのスロットをなすことができる（ＣＰ長によってシンボル個数は異なってもよい。）。
【０１０８】
２−２）ＰＤ２ＤＳＣＨだけで１つのスロット又はサブフレームの残りの領域埋められる場合、既存のＳＣ−ＦＤＭのように１つ又は２つのシンボル（ＰＵＳＣＨロングブロック又はショートブロック構造）がＲＳであってもよい。このとき、ＲＳシーケンスＩＤは、ＰＤ２ＤＳＳと連動したシーケンスであってもよく、端末ＩＤ又はセルＩＤに連動されたシーケンスであってもよい。又は、ランダムに設定されたり又はあらかじめ定められた特定ＩＤのシーケンスであってもよい。ＲＳシーケンスＩＤだけでなく、ＣＳもＰＤ２ＤＳＳと連動していてもよく、ＵＥ  ＩＤ、セルＩＤに連動して決定されてもよい。又は、干渉回避のためにランダムに設定されていてもよい。このＲＳはＳＳＳとして解釈されてもよく、その場合にはＭシーケンスであってもよい。ＳＳＳである場合には、ＩＤはＤ２ＤＳＳのＩＤによって決定されてもよい。
【０１０９】
２−３）最後のシンボルの全体又は一部は、保護シンボルであってもよい。又は、Ｄ２ＤＳＳ送信タイミングによって上りリンクＴＡに連動した区間であってもよい。この場合、保護シンボルは、１シンボルではなく、数ＯＦＤＭシンボル長であってもよい。
【０１１０】
２−４）ＳＤ２ＤＳＳが２番目のスロットの一部の領域で埋められる場合、複数個のＭシーケンスの組み合わせであってもよい。
【０１１１】
２−５）ＳＤ２ＤＳＳが２番目のスロットの一部領域に埋められる場合、副搬送波間隔が一般ＯＦＤＭシンボルと異なり、シンボル長が一般ＯＦＤＭシンボルと異なるＭシーケンスで埋められてもよい。
【０１１２】
２−６）ＳＤ２ＤＳＳとＰＤ２ＤＳＣＨが１つのスロット内にＴＤＭされて存在してもよい。このとき、ＰＤ２ＤＳＣＨの復調のためにＳＤ２ＤＳＳとＰＤ２ＤＳＣＨのシンボルがインターリーブされた形態であるか、ＳＤ２ＤＳＳシンボルがＰＤ２ＤＳＣＨシンボルを取り囲んだ形態であるか、又は、ＰＤ２ＤＳＣＨが先に位置し、ＳＤ２ＤＳＳが後に位置してもよい。
【０１１３】
２−７）ＰＤ２ＤＳＣＨは、ＰＵＣＣＨフォーマット３、ＰＵＣＣＨフォーマット１ａ／１ｂ、又は縮約されたＰＵＣＣＨフォーマットのような形態でペイロードが送信される構造であってもよい。このとき、ＲＢサイズは６ＲＢである可能性が高い。ＰＤ２ＤＳＳとサイズを等しくすることが好ましい。ＲＳは６ＲＢ  ＤＭＲＳであってもよく、１ＲＢ  ＤＭＲＳがＰＤ２ＤＳＣＨ  ＲＢ数だけ存在してもよく、ＤＭＲＳ位置にＳＳＳのようなＭシーケンスが含まれてもよい。しかし、ＰＤ２ＤＳＣＨは、中央の６ＲＢではなく、Ｄ２Ｄ送信で使用可能な周波数リソースに広く広まって送信されてもよい。この場合、ＰＤ２ＤＳＣＨには帯域幅によって可用の情報量が増えてもよい。
【０１１４】
図１０に、他の例の同期信号が送信されるサブフレームを示す。図１０で、Ｔは、Ｄ２ＤＳＳとＰＤ２ＤＳＣＨが送信されるＳＦ数を表し、Ｍは、ＰＤ２ＤＳＳが占めるシンボル数、Ｎは、ＳＤ２ＤＳＳが占めるシンボル数、Ｇは、保護区間（ＡＧＣ  ｔｒａｉｎｉｎｇ）に用いられるシンボル数、Ｋは、ＰＤ２ＤＳＣＨが占めるシンボル数を表す。同図は、論理的構造を示し、実際のＲＥマッピングは、シンボルレベルで各チャネル間にインターリーブされてもよく、各チャネルが用いられる帯域幅は互いに異なってもよい。例えば、ＰＤ２ＤＳＳは中央の６ＲＢでのみ送信されるが、残りのチャネルは、これと異なる帯域幅で送信されてもよい。また、残りチャネルは、中央の６ＲＢ以外の周波数領域で送信されたり、周波数ホッピングが適用されたり、６ＲＢよりも広い領域で送信されてもよい。一例として、ＰＤ２ＤＳＳは中央の６ＲＢで送信され、ＳＤ２ＤＳＳとＰＤ２ＤＳＣＨは、Ｄ２Ｄ信号が送信される全帯域に広く広まって送信されてもよい。このとき、ＳＤ２ＤＳＳはＰＤ２ＤＳＣＨのＤＭＲＳとして用いられてもよい。上記の構造で取り上げたＳＦでＤ２ＤＳＳとＰＤ２ＤＳＣＨとがマルチプレクシングされて送信される場合（Ｔ＝１）、Ｇ＝１、Ｍ＝Ｎ＝４に設定され、残りシンボルはＰＤ２ＤＳＣＨで埋められてもよい。このような構造は、ＣＰ長によらずにＤ２ＤＳＳのシンボルの個数をまず確保できるという長所がある。このような構造で、Ｋは、ノーマルＣＰの場合は５、拡張ＣＰの場合は３となる。上述した構造で、ＮはＫに含まれてもよい。これは、ＳＤ２ＤＳＳがＰＤ２ＤＳＣＨのＤＭＲＳとして用いられる時に特に適用されてもよい。このような構造は、ＰＤ２ＤＳＳのための領域をより多く確保できるという長所がある。
【０１１５】
同期参照ノードの変更
【０１１６】
Ｄ２Ｄ同期信号を送信する同期参照ノードは、基地局／特定端末から基地局／端末に変更されてもよい。具体的に、Ｄ２Ｄ通信では端末間の同期をいちいち取るよりは、一定周期で一部のノード（ＳＲＮ）が同期信号を代表として送信し、これを他のＤ２Ｄ端末が受信し、それに基づいて通信を直接行うと、同期信号を送受信するためにかかる端末の電力使用量、及び分散的同期送受信による遅延時間を減らすことができるという長所がある。このとき、基地局でない特定端末が持続して同期信号を送信する場合、当該端末は同期信号を送信することによる電力消耗によってバッテリー不足となりうる。そこで、代表として同期信号を送信する端末が固定されるのではなく、複数の端末が交互に代表として同期信号を送信する方式が、端末の電力を均一に使用するという点で必要である。
【０１１７】
このようにＳＲＮが変更された場合、ＳＲＮは、Ｄ２Ｄ同期信号の生成に用いられるＩＤ（端末ＩＤ、シーケンスＩＤなど）を以前のＳＲＮが使用したものを継承してもよく、又は新しいＩＤを使用してもよい。以下、それぞれの場合について説明する。
【０１１８】
以前のＳＲＮのＩＤを継承した場合
【０１１９】
Ｄ２ＤＳＳを受信する端末がＳＲＮが変更されたことを認知できず、以前に他のソースから送信されたＤ２ＤＳＳと新しく変更されたＤ２ＤＳＳとの間に連続した時間／周波数同期を推定する可能性が高い。しかし、ＳＲＮが変更され、これに関する情報がＰＤ２ＤＳＣＨに含まれる場合、Ｄ２ＤＳＳが変更されたことを受信端末が認知することもできる。具体的に、Ｄ２Ｄ同期信号を送信するサブフレームは、Ｄ２Ｄ同期信号を送信する時間に関する情報を含むことができる。ここで、時間に関する情報とは、現在の同期ソースがこれからどれくいの間にＤ２ＤＳＳを送信するかに関するタイマー情報又はタイミング情報（いつＤ２ＤＳＳが消えるかを示す番号を含む。）であってもよい。すなわち、当該時間に関する情報は、Ｄ２Ｄ同期信号を受信する端末の同期レファレンスノード変更推定に用いられるものである。タイマー運用の具体的な例として、特定ＳＲＮがＤ２ＤＳＳを１００回送信するようにした場合、ＰＤ２ＤＳＣＨにＤ２ＤＳＳの送信回数情報（１００から一度送信される度に１ずつ減るカウンタ）を含むことができる。このとき、Ｄ２ＤＳＳとＰＤ２ＤＳＣＨの送信周期とが異なる場合には、例えば、ＰＤ２ＤＳＣＨの送信周期がＤ２ＤＳＳのそれよりも遥かに長いとき、ＰＤ２ＤＳＣＨには、ＰＤ２ＤＳＣＨが送信される周期の間に送信されたＤ２ＤＳＳの回数を数えてその回数だけ除外するカウンタ情報、又はこれを表現するための他の形態の情報がＰＤ２ＤＳＣＨに含まれてもよい。
【０１２０】
又は、ＰＤ２ＤＳＣＨに、同期ソースを送信する端末のＩＤ、又はＩＤがハッシュされ、ＩＤを示す短くなった長さの特定シーケンスを含めてＳＲＮの変更を知らせることもできる。
【０１２１】
以前のＳＲＮのＩＤと異なるＩＤを使用する場合
【０１２２】
Ｄ２ＤＳＳはＰＳＳ／ＳＳＳと同様に、ＰＤ２ＤＳＳとＳＤ２ＤＳＳで構成されてもよい。Ｄ２ＤＳＳは単純にＰＤ２ＤＳＳでのみ構成されてもよい。仮にＰＤ２ＤＳＳがＰＳＳに基づいて構成される場合、エネルギーの確保のために、ＰＳＳが反復した形態で構成されてもよい。ＳＤ２ＤＳＳは同様に、ＳＳＳが反復された形態で構成されてもよい。反復される場合、より多いＩＤを表現するために、同一ＰＳＳの反復ではなく独立したＩＤを有するＰＳＳの組み合わせで構成されてもよい。ＳＤ２ＤＳＳも同様に、異なるＳＳＳの組み合わせで構成されてもよい。
【０１２３】
このとき、新しく選択されたＳＲＮは単純に、常にランダムなシーケンスＩＤを選択してＤ２ＤＳＳを送信することができる。又は、新しく選択されたＳＲＮが以前に観察した（又はトラッキングした）シーケンスＩＤはまず排除することができ、残りの中から一つをランダムに選択してＤ２ＤＳＳを送信することもできる。しかし、Ｄ２ＤＳＳ  ＩＤをランダムに選択する場合、ＰＳＳは同一のものを使用する可能性があり、これはＰＳＳ検出性能の低下を引き起こしうる。したがって、ＰＳＳも可能な限り異なるものを選択するようにすることが好ましい。新しく選択されたＳＲＮは、Ｄ２ＤＳＳを送信する前に観察された又は以前にトラッキングしていたＤ２ＤＳＳのＩＤを３で割って余りがｎである（ｎは、｛０，１，２｝のいずれか一つ）場合、新しく選択されるＩＤは３で割った時に余りがｎでないものの中からランダムに一つを選択することができる。これは、新しく選択されるＩＤのＰＳＳを意図的に異なるものとさせるためである。仮に以前に観察された又はトラッキングしたＤ２ＤＳＳが複数個である場合、最新のＤ２ＤＳＳのＩＤをまず排除したり、受信電力が最も大きいＩＤをまず排除することができる。又は、受信電力が特定臨界以上であると共に最新であるＩＤをまず排除することもできる。
【０１２４】
以下では、ＰＤ２ＤＳＳがＰＳＳの反復された形態である場合において詳細な組み合わせについて説明する。ＰＤ２ＤＳＳが同一ＰＳＳの単純反復された形態である場合、周辺に観察されたＰＳＳ又は以前にトラッキングした又はトラッキングしたことのあるＰＳＳ（又は、Ｄ２ＤＳＳ  ＩＤ）はまず排除し、使用されていない残りの一つをまず使用する。それが複数個のときには、最近に観察されたＰＳＳをまず排除する。又は、上述したように、受信電力が最も大きいＩＤをまず排除したり、受信電力が一定臨界以上であると共に最近に観察されたＤ２ＤＳＳのＰＳＳをまず排除する。その後、ＳＤ２ＤＳＳから一つのＳＳＳをランダムに選択する。このときにも、ＳＳＳのＩＤは、観察されたものをまず排除することができる。
【０１２５】
又は、ＰＤ２ＤＳＳは複数個のＰＳＳで構成され、各ＰＳＳが独立したルートシーケンスの組み合わせで構成された場合、ＰＳＳの反復が互いに独立したルートシーケンスの組み合わせで構成されると、新しく選択されたＳＲＮが送信するＰＳＳは、以前に観察された（又はトラッキングした）ＰＳＳは排除し、残りの中からランダムに選択する（以前に観察されたものを排除する方法は、前述した方法のうちの一つをこの場合にも同様に適用することができる。）。すなわち、全てのＰＳＳが以前に観察されたものと異なるものを送信する。又は、新しく選択されたＳＲＮが送信するＰＤ２ＤＳＳは、以前にトラッキングしたＰＤ２ＤＳＳは排除することができる。（上述した方式との違いは、ＰＳＳの組み合わせのうち、同一位置に同一ＰＳＳを使用する可能性があるという点である。）
【０１２６】
一方、ＰＤ２ＤＳＳ（ＰＳＳ）は、既存のに観察されたものをそのまま使用し、ＳＤ２ＤＳＳは以前に観察されたものと異なるものを使用することができる。これは、ＰＤ２ＤＳＳはＳＦＮになって主としてタイミング情報を取得するために用いられ、ＳＤ２ＤＳＳは周波数オフセット推定のために用いられる可能性が高く、このとき、タイミングはそのまま維持できるようにし、その代わりに、周波数オフセットはＳＲＮが変わる場合に初期化することが好ましいためである。
【０１２７】
カバレッジとＤ２Ｄ送信フォーマットとの関係
【０１２８】
一方、Ｄ２ＤＳＳをリレーすることと端末が送信したＤ２ＤＳＳを区別することは、インカバレッジでｅＮＢのＰＳＳ／ＳＳＳのタイミングをリレーすることとアウトカバレッジで端末が送信するＤ２ＤＳＳを区別することであってもよい。すなわち、ネットワークカバレッジで端末が送信するＤ２ＤＳＳとアウトカバレッジで端末が送信するＤ２ＤＳＳは、そのフォーマットが区別されなければならない。説明の便宜上、ネットワークカバレッジ内でｅＮＢの指示によって、又は特定条件を満たし、カバレッジ内の端末がＤ２ＤＳＳを送信するようになる場合、このＤ２ＤＳＳはｅＮＢのＰＳＳ／ＳＳＳの受信タイミングに合わせて送信される。このようなＤ２ＤＳＳをＤ２ＤＳＳ＿ｎｅｔと呼ぶものとする。その他、アウトカバレッジで他の端末が送信するＤ２ＤＳＳにタイミングを合わせて送信されたり、端末が自らタイミングを決定してＤ２ＤＳＳを送信する場合、このようなＤ２ＤＳＳをＤ２ＤＳＳｕｅ＿ｏｏｎと呼ぶものとする。以下では、Ｄ２ＤＳＳｕｅ＿ｎｅｔとＤ２ＤＳＳｕｅ＿ｏｏｎとを区別する実施例についてより詳しく説明する。
【０１２９】
上記ではＤ２ＤＳＳの２つのフォーマットを区別するとき、別個の同期シーケンスＩＤを設定することを説明したが、実施例として、同期シーケンスＩＤ  ０〜５０３に対してモジューロ２を取り、余りが１であるシーケンスは、Ｄ２ＤＳＳｕｅ＿ｎｅｔが使用し、余りが０であるシーケンスはＤ２ＤＳＳｕｅ＿ｏｏｎが使用することを考慮することができる。又は、逆に、Ｄ２ＤＳＳｕｅ＿ｎｅｔが余り０のシーケンスを使用し、余り１のシーケンスはＤ２ＤＳＳｕｅ＿ｏｏｎが使用してもよい。すなわち、Ｄ２ＤＳＳは単数個又は複数個のＰＳＳ／ＳＳＳで構成されるが、このとき、０〜５０３個のシーケンスＩＤのうち、偶数のものはＤ２ＤＳＳｕｅ＿ｎｅｔが使用し、奇数のものはＤ２ＤＳＳｕｅ＿ｏｏｎが使用する。このような動作の利点は、Ｄ２ＤＳＳｕｅ＿ｎｅｔとＤ２ＤＳＳｕｅ＿ｏｏｎが使用するＰＳＳを均一に混ぜることができる。ＰＳＳはそのシーケンスＩＤによって微小な性能差がありうるため、特定シーケンスを特定Ｄ２ＤＳＳ集合で使用することは性能上好ましくない。しかし、動作を簡便にするために、シーケンスのうち、特定ＰＳＳで構成される同期シーケンスはＤ２ＤＳＳｕｅ＿ｎｅｔが使用し、残りのＰＳＳで構成される同期シーケンスはＤ２ＤＳＳｕｅ＿ｏｏｎが使用するように規則が定められてもよい。このような動作では、Ｄ２Ｄ端末はＰＳＳのみを検出してみるだけでも、それがＤ２ＤＳＳ＿ｎｅｔであるかＤ２ＤＳＳ＿ｏｏｎであるかが区別できる。他の実施例として、ＳＤ２ＤＳＳのＩＤにモジューロ２を取り、余りが１であるＳＤ２ＤＳＳシーケンスとＰＤ２ＤＳＳシーケンスセットの組み合わせでＤ２ＤＳＳ＿ｎｅｔを構成し、ＳＤ２ＤＳＳのＩＤにモジューロ２を取り、余りが０であるＳＤ２ＤＳＳシーケンスとＰＤ２ＤＳＳシーケンスセットの組み合わせでＤ２ＤＳＳ＿ｏｏｎを構成することができる。この方式は、上記の実施例と同様に、ＰＳＳがＤ２ＤＳＳ＿ｎｅｔとＤ２ＤＳＳ＿ｏｏｎに均一に分散されるようにすることができる。
【０１３０】
一方、上記Ｄ２ＤＳＳシーケンスＩＤの奇数／偶数によってＤ２ＤＳＳｕｅ＿ｎｅｔとＤ２ＤＳＳｕｅ＿ｏｏｎとを区別することは、オリジナル同期ソースがｅＮＢであるか、端末であるかによって奇数／偶数を異なるように設定することに変形されてもよい。上記シーケンスＩＤの奇数／偶数によってＤ２ＤＳＳｕｅ＿ｎｅｔとｏｏｎとを区別することと違い、部分ネットワークカバレッジでアウトカバレッジ端末がインカバレッジ端末のＤ２ＤＳＳを検出したのちＤ２ＤＳＳ検出タイミングでＤ２ＤＳＳを送信するときに奇数又は偶数のＩＤを使用することによって、そのオリジナル同期ソースがｅＮＢであるか、端末であるかを示すことができる。すなわち、Ｄ２ＤＳＳを送信する端末がイン／アウトカバレッジであることを示すためではなく、Ｄ２ＤＳＳのオリジナル同期ソースを示す用途にＩＤを区別することができる。
【０１３１】
上記の提案した方式を拡張して、単純にＤ２ＤＳＳｕｅ＿ｎｅｔとＤ２ＤＳＳｕｅ＿ｏｏｎの２つの集合の区別を超えて、０〜５０３までのシーケンスＩＤをＮ個の集合に区分し、その一部はＤ２ＤＳＳｕｅ＿ｎｅｔのセットが使用し、残りの一部はＤ２ＤＳＳｕｅ＿ｏｏｎのセットが使用することもできる。このとき、Ｄ２ＤＳＳｕｅ＿ｎｅｔのセットの個数とＤ２ＤＳＳｕｅ＿ｏｏｎのセットの個数は事前に定められていてもよい。このとき、Ｄ２ＤＳＳの集合の個数（Ｎ）は事前に定められていてもよく、一例として、シーケンスＩＤに対してモジューロＮを取って得る値によってセットを区別することができる。このようなセットの区別は、特定の目的によってさらにＤ２ＤＳＳを区別し、それを受信した端末の動作を単純化するためである。例えば、Ｄ２ＤＳＳがＰＳＳ／ＳＳＳ  ＩＤのうち４個のセットに区別されており、Ｄ２ＤＳＳｕｅ＿ｎｅｔのセットが２個、Ｄ２ＤＳＳｕｅ＿ｏｏｎのセットが２個に区分されていると仮定しよう。このとき、Ｄ２ＤＳＳｕｅ＿セットは、端末がｅＮＢのＰＳＳ／ＳＳＳを直接リレーする時にはセット１を使用し、セット１を受信した端末がさらに送信する時にはセット２を使用するように規則が定められてもよい。Ｄ２ＤＳＳｕｅ＿ｏｏｎも同様に、他の端末のタイミングに合わせて送信する場合にはセット３を使用し、他のＤ２ＤＳＳのタイミングによらずに送信する場合にはセット４を使用することができる。このとき、上記の奇数／偶数にＤ２ＤＳＳｕｅ＿ｎｅｔとｏｏｎを区分したものを適用する際には、ＰＳＳ／ＳＳＳシーケンスＩＤを４で割って余りが１、３であるシーケンスはＤ２ＤＳＳｕｅ＿ｎｅｔに使用し、０、２であるシーケンスはＤ２ＤＳＳｕｅ＿ｏｏｎに使用すればよい。
【０１３２】
一方、Ｄ２ＤＳＳシーケンスＩＤをＮ個のセットに分けることは、Ｄ２ＤＳＳのオリジナル同期ソースを区別する用途に使用することができる。このとき、オリジナル同期ソースがｅＮＢであるか端末であるか、のように単純に２個のセットに区分することを拡張して、ｅＮＢである場合にもさらにＮ１個に分け、端末である場合にもＮ２個のセットに分け、これらを異なる用途に用いることができる。一例として、ｅＮＢのセルＩＤにＤ２ＤＳＳセットが区別され、これは別個のセルをオリジナル同期ソースとした時、別個のシーケンスを使用するようにし、シーケンス衝突を減らすためである。同様に、端末がオリジナル同期ソースである場合にも、これをさらに複数個のセットに区別し、別個の端末ＩＤの同期ソースに対して別個のシーケンスＩＤを使用できるようにする。
【０１３３】
仮にＤ２ＤＳＳｕｅ＿ｎｅｔはｅＮＢの指示の下に送信され、Ｄ２ＤＳＳｕｅ＿ｏｏｎは端末が自由に送信するとすれば、Ｄ２ＤＳＳｕｅ＿ｎｅｔとＤ２ＤＳＳｕｅ＿ｏｏｎのセットの大きさは別々に設定されてもよい。一例として、Ｄ２ＤＳＳｕｅ＿ｏｏｎｅのＤ２ＤＳＳ個数をより多く設定してもよい。そのための実施例として、同期シーケンスＩＤを４でモジューロを取り、余りが０である場合には、これをＤ２ＤＳＳｕｅ＿ｎｅｔが使用し、残りの場合にはＤ２ＤＳＳｕｅ＿ｏｏｎが使用することができる。
【０１３４】
一方、現在ＳＳＳは、０番のＳＦに送信されるＳＳＳと５番のサブフレームに送信されるＳＳＳとが、次の式１のように、別個のフォーマットに設定されている。
【０１３５】
【数１】
0006511048.tif 000005
【０１３６】
このような構造をＤ２ＤＳＳｕｅ＿ｏｏｎでＩＳＳとＩＳＳでないＤ２ＤＳＳとを区別する用途に用いることができる。一例として、Ｄ２ＤＳＳｕｅ＿ｏｏｎのうち、ＩＳＳであるＤ２ＤＳＳのＳＤ２ＤＳＳは、０番（５番）のＳＦで送信されるＳＳＳのフォーマットで送信され、Ｄ２ＤＳＳｕｅ＿ｏｏｎのうち、ＩＳＳでないＤ２ＤＳＳのＳＤ２ＤＳＳは、５番（０番）のＳＦで送信されるＳＳＳのフォーマットで送信される。この方式は、Ｄ２ＤＳＳｕｅ＿ｏｏｎの全シーケンスＩＤを活用できる方法である。特に、Ｄ２ＤＳＳｕｅ＿ｏｏｎの場合は端末が送信することから、端末間に同一シーケンスを使用する場合には同期性能が低下しうる。アウトカバレッジでは端末ＩＤの個数が十分であるため、同一ＳＦで別個の端末が同一シーケンスを使用することを防止することが好ましい。このとき、ＩＳＳとＩＳＳでない端末が送信するＤ２ＤＳＳを区別する必要がある場合には、上記提案した方法を用いることができる。
【０１３７】
一方、ＳＦごとにＳＳＳの構造が異なる性質を、Ｄ２ＤＳＳｕｅ＿ｎｅｔとＤ２ＤＳＳｕｅ＿ｏｏｎとを区別する用途に用いることができる。一例として、Ｄ２ＤＳＳｕｅ＿ｎｅｔのＳＤ２ＤＳＳは０番（５番）のＳＦで送信されるＳＳＳのフォーマットで送信され、Ｄ２ＤＳＳｕｅ＿ｏｏｎのＳＤ２ＤＳＳは５番（０番）のＳＦで送信されるＳＳＳのフォーマットで送信される。すなわち、インカバレッジ端末がＤ２ＤＳＳを送信する時には、０番（５番）のＳＦで送信されるＳＳＳのフォーマットで送信し、アウトカバレッジ端末がＤ２ＤＳＳを送信する時には、５番（０番）のＳＦで送信されるＳＳＳのフォーマットで送信することができる。上記ＳＳＳのフォーマットを別々にして特定情報を指示する方式は、Ｄ２ＤＳＳｕｅ＿ｎｅｔとＤ２ＤＳＳｕｅ＿ｏｏｎが０〜５０３の全シーケンスＩＤを活用すると同時に、そのフォーマットを区別できる方法である。仮にＰＡＰＲなどの問題からＳＳＳの一部をＳＤ２ＤＳＳに使用しない場合、Ｄ２ＤＳＳのシーケンスの個数が減ることがある。この場合、単純にＳＳＳのフォーマットを変化させながらＤ２ＤＳＳｕｅ＿ｎｅｔとＤ２ＤＳＳｕｅ＿ｏｏｎとを区別すると、シーケンスの個数がセット区別によってさらに減ることを防止することができる。他の例として、１つのサブフレームに２つのＳＤ２ＤＳＳシンボルが含まれる場合、Ｄ２ＤＳＳｕｅ＿ｎｅｔは０番のＳＦと５番のＳＦのＳＳＳ順序で配置され、Ｄ２ＤＳＳｕｅ＿ｏｏｎは、５番のＳＦと０番のＳＦのＳＳＳ順序で配置され、ＳＳＳフォーマットの配置順序でＤ２ＤＳＳｕｅ＿ｎｅｔとＤ２ＤＳＳｕｅ＿ｏｏｎを区別することもできる。
【０１３８】
一方、Ｄ２ＤＳＳが送信されるリソース領域内でＤ２ＤＳＳリソースインデックスを指示する用途にＤ２ＤＳＳシーケンスＩＤ及び／又はＳＳＳフォーマットが用いられてもよい。ＳＳＳのフォーマットは、０番のＳＦで送信されるもの、及び５番のＳＦで送信されるものがあり、これをＳＳＳ＿Ａ、ＳＳＳ＿Ｂと呼ぶと、ＳＦインデックスによってＤ２ＤＳＳのセットが区分され、このとき、各グループはＤ２ＤＳＳシーケンスＩＤ及び／又はＳＳＳのフォーマットの組み合わせで区別することができる。一例として、Ｄ２ＤＳＳのリソース領域がＮ個のＳＦ（又はスロット又はセット又はＯＦＤＭシンボル）で構成された場合、ｉ番目のリソース領域でのシーケンスＩＤはモジューロＮを取り、余りがｉであるシーケンスでＳＳＳフォーマットＸを使用するように規則が定められてもよい。ここで、Ｘは、各Ｄ２ＤＳＳリソースごとに特定値に事前に定められてもよい。この方法でＤ２ＤＳＳを受信した端末は、Ｄ２ＤＳＳの検出を試み、どのＤ２ＤＳＳリソースで送信されたＤ２ＤＳＳであるかが把握できる。
【０１３９】
一方、Ｄ２ＤＳＳシーケンスＩＤ及び／又はＳＳＳの構造を用いて、Ｄ２ＤＳＳが何番目の周期で送信されたかを示すことができる。一例として、Ｄ２ＤＳＳシーケンスＩＤが事前に特定セットに区分されており、Ｄ２ＤＳＳが送信される際、特定周期には特定セットにおけるＩＤを送信するように規則が定められてもよい。このとき、特定周期で送信されるＩＤは、他のセットにおけるＤ２ＤＳＳ  ＩＤと１：１でマップされていてもよい。したがって、最初にＤ２ＤＳＳを送信した端末が特定のＤ２ＤＳＳ周期になると、１：１でマッピングされた他のＩＤを送信し、よって、現在送信されるＤ２ＤＳＳが何番目の周期のＤ２ＤＳＳであるかを示すことができる。又は、ＳＳＳの構造を別々にして、例えば、偶数の周期で送信されたものか又は奇数の周期で送信されたものかを示すことができる。例えば、Ｄ２ＤＳＳの周期がＮ  ｍｓである場合、偶数の周期ではＳＳＳ＿Ａ（ＳＳＳ＿Ｂ）を使用し、奇数の周期ではＳＳＳ＿Ｂ（ＳＳＳ＿Ａ）を使用することができる。これを拡張して、特定数の倍数の周期で送信されるＤ２ＤＳＳは、ＳＳＳ＿Ａ（ＳＳＳ＿Ｂ）を使用し、それ以外の場合にはＳＳＳ＿Ｂ（ＳＳＳ＿Ａ）を使用することで、現在送信されたＤ２ＤＳＳが何番目の周期で送信されたかを推量できるようにする。
【０１４０】
一方、Ｄ２ＤＳＳシーケンスＩＤ及び／又はＳＳＳの構造を用いて、（概略的な）無線オフレーム番号を示すことができる。一例として、Ｄ２ＤＳＳが送信される無線フレーム番号（又は、Ｄ２Ｄフレーム番号）が特定数（Ｔ）の倍数であるとき（又は、フレーム番号をＹでモジューロ取った数がＴであるとき、ここで、Ｙ、Ｔは変更可能（ｃｏｎｆｉｇｕｒａｂｌｅ）な値又は事前に設定された値）、送信されるＤ２ＤＳＳはＳＳＳ＿Ａで送信し、何番目の無線フレームで送信されているかを示すことができる。
【０１４１】
以下では、ＰＤ２ＤＳＣＨのスクランブリングとＤＭＲＳを設定する方法を説明する。ＰＤ２ＤＳＣＨは、Ｄ２ＤＳＳをＲＳとして復調を行うこともでき、上述のように別途のＲＳを含んで送信されてもよい。このとき、ＲＳのベースシーケンス又はＰＤ２ＤＳＣＨのコードワードスクランブリングシーケンスはＤ２ＤＳＳ  ＩＤから誘導されることが好ましい。別個のＤ２ＤＳＳが偶然に同一の時点で送信される場合、同一のＲＳを使用すると、ＰＤ２ＤＳＣＨデコーディング性能が深刻に低下しうるためである。このとき、Ｄ２ＤＳＳ＿ｎｅｔとＤ２ＤＳＳ＿ｏｏｎがＩＤで区別されずにＳＳＳのフォーマットによって区別される場合には、特定の２つの端末が同一ＩＤを使用すると把握し、同一スクランブリングシーケンス又は同一ＤＭＲＳを使用する可能性がある。したがって、これを防止するために、ＰＤ２ＤＳＣＨのスクランブリングシーケンス又はＤＭＲＳシーケンスの設定の際に、インカバレッジであるか又はアウトカバレッジであるかを反映して生成することができる。
【０１４２】
詳細な説明に先立って、既存のＬＴＥ  ＰＵＳＣＨのＤＭＲＳ設定方式とスクランブリングシーケンス設定方式を説明すると、次のとおりである。
【０１４３】
ＬＴＥのＰＵＳＣＨ  ＤＭＲＳのベースシーケンス値のためのｚａｄｏｆｆ  ｃｈｕシーケンスは、式２によって決定される。
【０１４４】
【数２】
0006511048.tif 000006
【０１４５】
式２で、ルート値であるｑの値は、式３によって決定される。
【０１４６】
【数３】
0006511048.tif 000007
【０１４７】
式３でｕの値は、式４によって決定される。
【０１４８】
【数４】
0006511048.tif 000008
【０１４９】
式４で、
【化１】
0006511048.tif 000009
の値は、式５によって決定される。
【０１５０】
【数５】
0006511048.tif 000010
【０１５１】
式５で、
【化２】
0006511048.tif 000011
のための
【化３】
0006511048.tif 000012
値は、式６によって決定される。
【０１５２】
【数６】
0006511048.tif 000013
【０１５３】
式６で
【化４】
0006511048.tif 000014
、の値は、セルＩＤ又は上位層シグナリングによって決定される。式４で、
【化５】
0006511048.tif 000015
の値は、ＰＵＳＣＨの場合、式７によって決定される。
【０１５４】
【数７】
0006511048.tif 000016
【０１５５】
式７で、
【化６】
0006511048.tif 000017
はセルＩＤ値であり、
【化７】
0006511048.tif 000018
は、上位層で受ける値である。
【化８】
0006511048.tif 000019
の値は、式８によって決定される。
【０１５６】
【数８】
0006511048.tif 000020
【０１５７】
式８で、
【化９】
0006511048.tif 000021
のための
【化１０】
0006511048.tif 000022
値は、式９によって決定される。
【０１５８】
【数９】
0006511048.tif 000023
【０１５９】
式９で、
【化１１】
0006511048.tif 000024
の値は、セルＩＤ又は上位層シグナリングによって決定され、
【化１２】
0006511048.tif 000025
は、式７によって決定される。
【０１６０】
既存のＬＴＥ  ＰＵＳＣＨのスクランブリングシーケンス生成の際、初期化パラメータ設定は、次の式によって決定される。
【化１３】
0006511048.tif 000026
、ここで、
【化１４】
0006511048.tif 000027
は、ＲＮＴＩ値、セルＩＤを表す、。
【０１６１】
ＰＤ２ＤＳＣＨのためのＤＭＲＳ生成の際、インカバレッジ／アウトカバレッジによって異なるように設定する方法の実施例として、
【化１５】
0006511048.tif 000028
を
【化１６】
0006511048.tif 000029
（又は、
【化１７】
0006511048.tif 000030
のように設定してもよい。すなわち、インカバレッジ／アウトカバレッジによってＤＭＲＳシーケンス設定を別々にする。）のように変更してもよい。ここで、
【化１８】
0006511048.tif 000031
は、Ｄ２ＤＳＳ  ＩＤを表し、Ｉは、インカバレッジかアウトカバレッジかを示すバイナリ指示子（ｂｉｎａｒｙ  ｉｎｄｉｃａｔｏｒ）を表す。スクランブリングの場合、ＰＤ２ＤＳＣＨではスロット番号
【化１９】
0006511048.tif 000032
は使用されなくてもよく、特定値（例えば、
【化２０】
0006511048.tif 000033
）に固定されてもよい。ここで、ＰＤ２ＤＳＣＨの送信周期が１０ｍｓの倍数である場合には、常に同一のスロット番号を使用するようになる。すなわち、特定値は、Ｄ２ＤＳＳが送信されるサブフレームオフセットに設定することができる。又は、ＳＦＮ０又はＤ２Ｄフレーム番号０を基準に毎ＰＤ２ＤＳＣＨ送信ごとに＋１ずつ増加すると共に、２０でモジューロ取った値を、
【化２１】
0006511048.tif 000034
に用いることができる。これは、ＰＤ２ＤＳＣＨ送信ごとにスクランブリングを変えてランダム化効果を得るためである。ＰＤ２ＤＳＣＨではＰＵＳＣＨコードワードパラメータｑも、使用されないか、又は特定値に固定されてもよい。ここで、Ｄ２Ｄサブフレーム番号とは、Ｄ２Ｄ送信端末が把握しているサブフレーム番号を意味する。
【０１６２】
実施例として、ＰＤ２ＤＳＣＨのスクランブリングシーケンスの初期化パラメータを次のように設定することができる。
【化２２】
0006511048.tif 000035
【０１６３】
ここで、
【化２３】
0006511048.tif 000036
はＤ２ＤＳＳ  ＩＤを表し、Ｉは、インカバレッジ／アウトカバレッジを示すバイナリ指示子である。これを一般化すると、
【化２４】
0006511048.tif 000037
と表現でき、ｆはあらかじめ定められた関数である。提案された方式によって、ＰＤ２ＤＳＣＨにはインカバレッジ／アウトカバレッジによって異なるスクランブリングシーケンスを使用する。
【０１６４】
上記の方法で、Ｉは、ＰＤ２ＤＳＣＨのＣＲＣマスキングに含まれて送信されてもよい。すなわち、ＰＤ２ＤＳＣＨがインカバレッジかアウトカバレッジかによって異なるＣＲＣマスクを設定する。又は、ＰＤ２ＤＳＣＨの情報ビットの一部としてＩが送信されてもよい。上記でＤ２ＤＳＳがＤ２ＤＳＳｕｅ＿ｎｅｔとｏｏｎとに区別されたとしても、ＰＤ２ＤＳＣＨでそれをさらに確認するようにし、二重でｎｅｔであるかｏｏｎであるかを確認できるようにする。
【０１６５】
本発明の実施例に係る装置構成
【０１６６】
図１１は、本発明の実施の形態に係る送信ポイント装置及び端末装置の構成を示す図である。
【０１６７】
図１１を参照すると、本発明に係る送信ポイント装置１０は、受信モジュール１１、送信モジュール１２、プロセッサ１３、メモリ１４及び複数個のアンテナ１５を含むことができる。複数個のアンテナ１５は、ＭＩＭＯ送受信を支援する送信ポイント装置を意味する。受信モジュール１１は、端末からの上りリンク上の各種信号、データ及び情報を受信することができる。送信モジュール１２は、端末への下りリンク上の各種信号、データ及び情報を送信することができる。プロセッサ１３は送信ポイント装置１０の動作全般を制御することができる。
【０１６８】
本発明の一実施例に係る送信ポイント装置１０のプロセッサ１３は、前述した各実施例において必要な事項を処理することができる。
【０１６９】
送信ポイント装置１０のプロセッサ１３は、その他にも、送信ポイント装置１０が受信した情報、外部に送信する情報などを演算処理する機能を果たし、メモリ１４は、演算処理された情報などを所定の時間記憶することができ、バッファ（図示せず）などの構成要素に置き換えてもよい。
【０１７０】
また、図１１を参照すると、本発明に係る端末装置２０は、受信モジュール２１、送信モジュール２２、プロセッサ２３、メモリ２４及び複数個のアンテナ２５を含むことができる。複数個のアンテナ２５は、ＭＩＭＯ送受信を支援する端末装置を意味する。受信モジュール２１は、基地局からの下りリンク上の各種信号、データ及び情報を受信することができる。送信モジュール２２は、基地局への上りリンク上の各種信号、データ及び情報を送信することができる。プロセッサ２３は、端末装置２０の動作全般を制御することができる。
【０１７１】
本発明の一実施例に係る端末装置２０のプロセッサ２３は、前述した各実施例において必要な事項を処理することができる。
【０１７２】
端末装置２０のプロセッサ２３は、その他にも、端末装置２０が受信した情報、外部に送信する情報などを演算処理する機能を果たし、メモリ２４は、演算処理された情報などを所定の時間記憶することができ、バッファ（図示せず）などの構成要素に置き換えてもよい。
【０１７３】
上記のような送信ポイント装置及び端末装置の具体的な構成は、前述した本発明の様々な実施例で説明した事項が独立して適用されたり、又は２つ以上の実施例が同時に適用されるように具現することができ、重複する内容は明確性のために説明を省略する。
【０１７４】
また、図１１に関する説明において、送信ポイント装置１０に関する説明は、下りリンク送信主体又は上りリンク受信主体としての中継機装置に対しても同様の適用が可能であり、端末装置２０に関する説明は、下りリンク受信主体又は上りリンク送信主体としての中継機装置に対しても同様の適用が可能である。
【０１７５】
上述した本発明の実施例は様々な手段によって具現することができる。例えば、本発明の実施例は、ハードウェア、ファームウェア（ｆｉｒｍｗａｒｅ）、ソフトウェア又はそれらの結合などによって具現することができる。
【０１７６】
ハードウェアによる具現の場合、本発明の実施例に係る方法は、１つ又はそれ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤｓ（Ｐｒｏｇｒａｍｍａｂｌｅ  Ｌｏｇｉｃ  Ｄｅｖｉｃｅ）、ＦＰＧＡｓ（Ｆｉｅｌｄ  Ｐｒｏｇｒａｍｍａｂｌｅ  Ｇａｔｅ  Ａｒｒａｙ）、プロセッサ、コントローラ、マイクロコントローラ、マイクロプロセッサなどによって具現することができる。
【０１７７】
ファームウェアやソフトウェアによる具現の場合、本発明の実施例に係る方法は、以上で説明した機能又は動作を実行するモジュール、手順又は関数などの形態として具現することができる。ソフトウェアコードはメモリユニットに記憶され、プロセッサによって駆動されてもよい。メモリユニットは、プロセッサの内部又は外部に設けられ、既に公知の様々な手段によってプロセッサとデータを授受することができる。
【０１７８】
以上開示された本発明の好適な実施例に関する詳細な説明は、当業者が本発明を具現して実施できるように提供されている。以上では本発明の好適な実施例を参照して説明したが、当該技術の分野における熟練した当業者にとっては本発明の領域から逸脱しない範囲内で本発明を様々に修正及び変更させることができるということが理解できる。例えば、当業者は、上述した実施例に記載された各構成を組み合わせる方式で用いることができる。したがって、本発明は、ここに開示した実施の形態に制限されるものではなく、ここで開示した原理及び新規な特徴と一致する最も広い範囲を与えるためのものである。
【０１７９】
本発明は、本発明の精神及び必須の特徴を逸脱しない範囲で他の特定の形態に具体化してもよい。したがって、上記の詳細な説明は、いずれの面においても制限的に解釈してはならず、例示的なものとして考慮しなければならない。本発明の範囲は、添付した請求項の合理的解釈によって決定しなければならず、本発明の均等な範囲内における変更はいずれも本発明の範囲に含まれる。本発明は、ここに開示した実施の形態に制限されるものではなく、ここで開示した原理及び新規な特徴と一致する最も広い範囲を与えるためのものである。また、特許請求の範囲で明示的な引用関係を有しない請求項を結合して実施例を構成してもよく、出願後の補正によって新しい請求項として含めてもよい。
【産業上の利用可能性】
【０１８０】
上述のような本発明の実施の形態は様々な移動通信システムに適用可能である。
【図１】
0006511048.tif 000038
【図２】
0006511048.tif 000039
【図３】
0006511048.tif 000040
【図４】
0006511048.tif 000041
【図５】
0006511048.tif 000042
【図６】
0006511048.tif 000043
【図７】
0006511048.tif 000044
【図８】
0006511048.tif 000045
【図９】
0006511048.tif 000046
【図１０】
0006511048.tif 000047
【図１１】
0006511048.tif 000048